(57)【特許請求の範囲】
【請求項１】
ネットワークノードにおける方法であって、
第１の複数の連続するサブフレームについての第１のアップリンク／ダウンリンクスケジューリングパターンを決定すること（１１１２）と、
前記第１のアップリンク／ダウンリンクスケジューリングパターンをワイヤレスデバイスへ送信すること（１１１４）と、
前記第１のアップリンク／ダウンリンクスケジューリングパターンに従って、前記ワイヤレスデバイスへ少なくとも１つのサブフレームを送信すること（１１１６）と、
前記第１の複数の連続するサブフレーム及び第２の複数の連続するサブフレームが同一のサブフレームを少なくとも１つ含むように、前記第２の複数の連続するサブフレームについての第２のアップリンク／ダウンリンクスケジューリングパターンを決定すること（１１１８）と、
前記第２のアップリンク／ダウンリンクスケジューリングパターンを前記ワイヤレスデバイスへ送信すること（１１２０）と、
を含む方法。
【請求項２】
前記第１のアップリンク／ダウンリンクスケジューリングパターンは、
前記第１の複数の連続するサブフレームにおけるダウンリンクサブフレームの数を表す第１の値と、
前記第１の複数の連続するサブフレームにおけるアップリンクサブフレームの数を表す第２の値と、
を含む、請求項１に記載の方法。
【請求項３】
前記第１のアップリンク／ダウンリンクスケジューリングパターンは、
前記第１の複数のサブフレーム内の、前記ワイヤレスデバイスがダウンリンクをモニタリングしないサブフレームのセット、又は、
前記第１の複数のサブフレーム内の、前記ワイヤレスデバイスがダウンリンクをモニタリングするサブフレームのセット、
のうちの少なくとも１つを含む、請求項１に記載の方法。
【請求項４】
前記第１のアップリンク／ダウンリンクスケジューリングパターンを前記ワイヤレスデバイスへ送信すること（１１１４）は、前記第１のアップリンク／ダウンリンクスケジューリングパターンを、ＬＴＥ（long term evolution）のＰＤＣＣＨ（physical downlink control channel）又はＥＰＤＣＣＨ（enhanced physical downlink control channel）において送信すること、を含む、請求項１〜３のいずれか一項に記載の方法。
【請求項５】
前記第１のアップリンク／ダウンリンクスケジューリングパターンを前記ワイヤレスデバイスへ送信すること（１１１４）は、前記第１のアップリンク／ダウンリンクスケジューリングパターンを、ＬＴＥのＰＣＦＩＣＨ（physical control format indicator channel）において送信すること、を含む、請求項１〜３のいずれか一項に記載の方法。
【請求項６】
前記ネットワークノードは、第１のセルへサービスし、前記第１のアップリンク／ダウンリンクスケジューリングパターンは、前記第１のセルとは異なる第２のセルへ適用される、請求項１〜５のいずれか一項に記載の方法。
【請求項７】
ワイヤレスデバイスにおける方法であって、
ネットワークノードから、第１の複数の連続するサブフレームについての第１のアップリンク／ダウンリンクスケジューリングパターンを受信すること（１２１２）と、
前記第１のアップリンク／ダウンリンクスケジューリングパターンに従って、少なくとも１つのサブフレームを受信すること（１２１４）と、
前記ネットワークノードから、前記第１の複数の連続するサブフレームと同一のサブフレームを少なくとも１つ含む第２の複数の連続するサブフレームについての第２のアップリンク／ダウンリンクスケジューリングパターンを受信すること（１２１６）と、
を含む方法。
【請求項８】
前記第１のアップリンク／ダウンリンクスケジューリングパターンは、
前記第１の複数の連続するサブフレームにおけるダウンリンクサブフレームの数を表す第１の値と、
前記第１の複数の連続するサブフレームにおけるアップリンクサブフレームの数を表す第２の値と、
を含む、請求項７に記載の方法。
【請求項９】
前記第１のアップリンク／ダウンリンクスケジューリングパターンは、
前記第１の複数のサブフレーム内の、前記ワイヤレスデバイスがダウンリンクをモニタリングしないサブフレームのセット、及び
前記第１の複数のサブフレーム内の、前記ワイヤレスデバイスがダウンリンクをモニタリングするサブフレームのセット、
のうちの少なくとも１つを含む、請求項７に記載の方法。
【請求項１０】
前記第１のアップリンク／ダウンリンクスケジューリングパターンを前記ネットワークノードから受信すること（１２１２）は、前記第１のアップリンク／ダウンリンクスケジューリングパターンを、ＬＴＥ（long term evolution）のＰＤＣＣＨ（physical downlink control channel）又はＥＰＤＣＣＨ（enhanced physical downlink control channel）において受信すること、を含む、請求項７〜９のいずれか一項に記載の方法。
【請求項１１】
前記第１のアップリンク／ダウンリンクスケジューリングパターンを前記ネットワークノードから受信すること（１２１２）は、前記第１のアップリンク／ダウンリンクスケジューリングパターンを、ＬＴＥのＰＣＦＩＣＨ（physical control format indicator channel）において受信すること、を含む、請求項７〜９のいずれか一項に記載の方法。
【請求項１２】
前記ネットワークノードは、第１のセルへサービスし、前記第１のアップリンク／ダウンリンクスケジューリングパターンは、前記第１のセルとは異なる第２のセルへ適用される、請求項７〜１１のいずれか一項に記載の方法。
【請求項１３】
プロセッサ（１４２０）及びメモリ（１４３０）を備えるネットワークノード（１２０）であって、前記プロセッサは、
第１の複数の連続するサブフレームについての第１のアップリンク／ダウンリンクスケジューリングパターンを決定し、
前記第１のアップリンク／ダウンリンクスケジューリングパターンをワイヤレスデバイス（１１０）へ送信し、
前記第１のアップリンク／ダウンリンクスケジューリングパターンに従って、前記ワイヤレスデバイスへ少なくとも１つのサブフレームを送信し、
前記第１の複数の連続するサブフレーム及び第２の複数の連続するサブフレームが同一のサブフレームを少なくとも１つ含むように、前記第２の複数の連続するサブフレームについての第２のアップリンク／ダウンリンクスケジューリングパターンを決定し、
前記第２のアップリンク／ダウンリンクスケジューリングパターンを前記ワイヤレスデバイスへ送信する、
ように動作可能である、ネットワークノード。
【請求項１４】
前記第１のアップリンク／ダウンリンクスケジューリングパターンは、
前記第１の複数の連続するサブフレームにおけるダウンリンクサブフレームの数を表す第１の値と、
前記第１の複数の連続するサブフレームにおけるアップリンクサブフレームの数を表す第２の値と、
を含む、請求項１３に記載のネットワークノード。
【請求項１５】
前記第１のアップリンク／ダウンリンクスケジューリングパターンは、
前記第１の複数のサブフレーム内の、前記ワイヤレスデバイスがダウンリンクをモニタリングしないサブフレームのセット、又は、
前記第１の複数のサブフレーム内の、前記ワイヤレスデバイスがダウンリンクをモニタリングするサブフレームのセット、
のうちの少なくとも１つを含む、請求項１３に記載のネットワークノード。
【請求項１６】
前記プロセッサは、前記第１のアップリンク／ダウンリンクスケジューリングパターンを、ＬＴＥ（long term evolution）のＰＤＣＣＨ（physical downlink control channel）又はＥＰＤＣＣＨ（enhanced physical downlink control channel）において送信する、ように動作可能である、請求項１３〜１５のいずれか一項に記載のネットワークノード。
【請求項１７】
前記プロセッサは、前記第１のアップリンク／ダウンリンクスケジューリングパターンを、ＬＴＥのＰＣＦＩＣＨ（physical control format indicator channel）において送信する、ように動作可能である、請求項１３〜１５のいずれか一項に記載のネットワークノード。
【請求項１８】
前記ネットワークノードは、第１のセルへサービスし、前記第１のアップリンク／ダウンリンクスケジューリングパターンは、前記第１のセルとは異なる第２のセルへ適用される、請求項１３〜１７のいずれか一項に記載のネットワークノード。
【請求項１９】
プロセッサ（１３２０）及びメモリ（１３３０）を備えるワイヤレスデバイス（１１０）であって、前記プロセッサは、
ネットワークノード（１２０）から、第１の複数の連続するサブフレームについての第１のアップリンク／ダウンリンクスケジューリングパターンを受信し、
前記第１のアップリンク／ダウンリンクスケジューリングパターンに従って、少なくとも１つのサブフレームを受信し、
前記ネットワークノードから、前記第１の複数の連続するサブフレームと同一のサブフレームを少なくとも１つ含む第２の複数の連続するサブフレームについての第２のアップリンク／ダウンリンクスケジューリングパターンを受信する、
ように動作可能である、ワイヤレスデバイス。
【請求項２０】
前記第１のアップリンク／ダウンリンクスケジューリングパターンは、
前記第１の複数の連続するサブフレームにおけるダウンリンクサブフレームの数を表す第１の値と、
前記第１の複数の連続するサブフレームにおけるアップリンクサブフレームの数を表す第２の値と、
を含む、請求項１９に記載のワイヤレスデバイス。
【請求項２１】
前記第１のアップリンク／ダウンリンクスケジューリングパターンは、
前記第１の複数のサブフレーム内の、前記ワイヤレスデバイスがダウンリンクをモニタリングしないサブフレームのセット、及び
前記第１の複数のサブフレーム内の、前記ワイヤレスデバイスがダウンリンクをモニタリングするサブフレームのセット、
のうちの少なくとも１つを含む、請求項１９に記載のワイヤレスデバイス。
【請求項２２】
前記プロセッサは、前記第１のアップリンク／ダウンリンクスケジューリングパターンを、ＬＴＥ（long term evolution）のＰＤＣＣＨ（physical downlink control channel）又はＥＰＤＣＣＨ（enhanced physical downlink control channel）において受信する、ように動作可能である、請求項１９〜２１のいずれか一項に記載のワイヤレスデバイス。
【請求項２３】
前記プロセッサは、前記第１のアップリンク／ダウンリンクスケジューリングパターンを、ＬＴＥのＰＣＦＩＣＨ（physical control format indicator channel）において受信する、ように動作可能である、請求項１９〜２１のいずれか一項に記載のワイヤレスデバイス。
【請求項２４】
前記ネットワークノードは、第１のセルへサービスし、前記第１のアップリンク／ダウンリンクスケジューリングパターンは、前記第１のセルとは異なる第２のセルへ適用される、請求項１９〜２３のいずれか一項に記載のワイヤレスデバイス。
【請求項２５】
決定モジュール（１４５０）及び送信モジュール（１４５２）を備えるネットワークノード（１２０）であって、
前記決定モジュール（１４５０）は、第１の複数の連続するサブフレームについての第１のアップリンク／ダウンリンクスケジューリングパターンを決定する、ように動作可能であり、
前記送信モジュールは、
前記第１のアップリンク／ダウンリンクスケジューリングパターンをワイヤレスデバイス（１１０）へ送信し、及び、
前記第１のアップリンク／ダウンリンクスケジューリングパターンに従って、前記ワイヤレスデバイスへ少なくとも１つのサブフレームを送信する、
ように動作可能であり、
前記決定モジュールは、前記第１の複数の連続するサブフレーム及び第２の複数の連続するサブフレームが同一のサブフレームを少なくとも１つ含むように、前記第２の複数の連続するサブフレームについての第２のアップリンク／ダウンリンクスケジューリングパターンを決定する、ようにさらに動作可能であり、
前記送信モジュールは、前記第２のアップリンク／ダウンリンクスケジューリングパターンを前記ワイヤレスデバイスへ送信する、ようにさらに動作可能である、
ネットワークノード。
【請求項２６】
パターン受信モジュール（１３５０）及びサブフレーム受信モジュール（１３５２）を備えるワイヤレスデバイス（１１０）であって、
前記パターン受信モジュールは、ネットワークノード（１２０）から、第１の複数の連続するサブフレームについての第１のアップリンク／ダウンリンクスケジューリングパターンを受信する、ように動作可能であり、
前記サブフレーム受信モジュールは、前記第１のアップリンク／ダウンリンクスケジューリングパターンに従って、少なくとも１つのサブフレームを受信する、ように動作可能であり、
前記パターン受信モジュールは、前記ネットワークノードから、前記第１の複数の連続するサブフレームと同一のサブフレームを少なくとも１つ含む第２の複数の連続するサブフレームについての第２のアップリンク／ダウンリンクスケジューリングパターンを受信する、ようにさらに動作可能である、
ワイヤレスデバイス（１１０）。
【発明の詳細な説明】
【技術分野】
【０００１】
具体的な実施形態は、概して、ワイヤレス通信ネットワークに関し、より具体的には、ライセンス支援型アクセス（ＬＡＡ）のためのサブフレームスケジューリングに関する。
【背景技術】
【０００２】
ライセンス支援型アクセス（ＬＡＡ：Licensed  Assisted  Access）という３ＧＰＰ（Third  Generation  Partnership  Project）イニシアティブは、ＬＴＥ（Long  Term  Evolution）機器が未ライセンスの５ＧＨｚ無線スペクトルにおいて動作することを可能とする。未ライセンスの５ＧＨｚスペクトルは、ライセンス済みスペクトルを補うものとして使用される。従って、デバイスは、ライセンス済みスペクトル（プライマリセル又はＰＣｅｌｌ）内で接続を行い、及び、未ライセンススペクトル（セカンダリセル又はＳＣｅｌｌ）内での追加的な送信キャパシティの恩恵を受けるためにキャリアアグリゲーションを使用する。ライセンス済みスペクトル及び未ライセンススペクトルを統合するために要する変化を低減するために、プライマリセルにおけるＬＴＥフレームタイミングがセカンダリセルにおいて同時に使用される。
【０００３】
しかしながら、規制要件（regulatory  requirements）が、事前のチャネルセンシング無く未ライセンススペクトルにおいて送信を行うことを許可しないかもしれない。これは、未ライセンススペクトルが類似の又は非類似のワイヤレス技術の他の無線機と共有されるからである。ワイヤレスデバイスは、ＬＢＴ（listen-before-talk）方式を用いてチャネルセンシングを実行し得る。今日、未ライセンスの５ＧＨｚスペクトルは、ＩＥＥＥ８０２．１１  ＷＬＡＮ（Wireless  Local  Area  Network）標準を実装する機器により主として使用されている。この標準は、そのマーケティングブランド“Ｗｉ−Ｆｉ”の下で知られている。
【０００４】
欧州では、ＬＢＴ手続は、ＥＮ３０１．８９３レギュレーションのスコープの下にある。ＬＡＡが５ＧＨｚスペクトルにおいて動作するために、ＬＡＡ  ＬＢＴ手続は、ＥＮ３０１．８９３において提示されている要件及び最小限の振る舞いを遵守するものとされる。しかしながら、Ｗｉ−ＦｉとＥＮ３０１．８９３のＬＢＴ手続を伴うＬＡＡとの共存を保証するためには、追加的なシステム設計及びステップ群が必要とされる。例えば、“Apparatus  and  method  for  spectrum  sharing  using  listen-before-talk  with  quiet  periods”と題された米国特許第８，７７４，２０９号は、送信に先立ってチャネルが空いているかを判定するためにＬＢＴを使用するフレームベースのＯＦＤＭ（orthogonal  frequency-division  multiplexing）システムを説明している。送信バーストの時間長を制限するために最大送信時間長タイマが使用され、その後に静寂ピリオド（quiet  period）が続く。
【０００５】
ＬＴＥは、ダウンリンクにおいてＯＦＤＭを、アップリンクにおいて（シングルキャリアＦＤＭＡともいう）ＤＦＴ拡散ＯＦＤＭを使用する。基本的なＬＴＥのダウンリンク物理リソースは、図１に示したような時間−周波数グリッドを含む。
【０００６】
図１は、一例としてのＯＦＤＭシンボルを示している。水平軸は時間を表し、他方の軸は周波数を表す。各リソースエレメントは、１つのＯＦＤＭシンボルインターバルの期間中の１本のＯＦＤＭサブキャリアに相当する。アップリンクサブフレームは、ダウンリンクと同じサブキャリア間隔を有し、ダウンリンクにおけるＯＦＤＭシンボルと同じ数のＳＣ−ＦＤＭＡシンボルを時間ドメインにおいて有する。時間ドメインでは、ＬＴＥのダウンリンク送信は、無線フレームの集合へ編成される。
【０００７】
図２は、一例としての無線フレームを示している。各無線フレームは、長さＴsubframe＝１ｍｓで等サイズの１０個のサブフレームからなる。通常のサイクリックプレフィクスについて、１つのサブフレームは１４個のＯＦＤＭシンボルからなる。各シンボルの時間長は、おおよそ７１．４μｓである。
【０００８】
ＬＴＥにおけるリソース割り当ては、典型的にはリソースブロックの観点で記述され、１リソースブロックは、時間ドメインにおける１スロット（０．５ｍｓ）及び周波数ドメインにおける１２本の連続したサブキャリアに相当する。時間ドメインにおける２つの隣り合うリソースブロックのペア（１．０ｍｓ）は、リソースブロックペアとして知られている。リソースブロックは、周波数ドメインにおいて、システム帯域幅の一端から０で始まる形で付番される。
【０００９】
ダウンリンク送信は動的にスケジューリングされる。各サブフレームにおいて、基地局は、その時点のダウンリンクサブフレームにおいてどの端末がデータの送信先であり及びどのリソースブロック上でデータが送信されるかに関する制御情報を送信する。この制御シグナリングは、典型的には、各サブフレーム内の最初から１、２、３又は４個のＯＦＤＭシンボルにおいて送信され、ｎ＝１、２、３又は４は制御フォーマットインジケータ（ＣＦＩ）として知られている。ダウンリンクサブフレームは、共通リファレンスシンボルをも含み、共通リファレンスシンボルは、受信機にとって既知であって、例えば制御情報の復調など、コヒーレント復調のために使用される。
【００１０】
図３は、一例としてのダウンリンクサブフレームを示している。そのサブフレームは、リファレンスシンボルと制御シグナリングとを含む。図示した例では、制御領域は、３つのＯＦＤＭシンボルを含む（即ち、ＣＦＩ＝３）。リファレンスシンボルは、精細な時間及び周波数同期、並びにある送信モードについてのチャネル推定、を含む複数の機能をサポートし得るセル固有リファレンスシンボル（ＣＲＳ）を含む。
【００１１】
ＬＴＥリリース８からリリース１０について、基地局は、ＰＤＣＣＨ（Physical  Downlink  Control  Channel）を用いてダウンリンク送信をスケジューリングする。ＬＴＥリリース１１以降より、ダウンリンク送信は、ＥＰＤＣＣＨ（Enhanced  Physical  Downlink  Control  Channel）上でもスケジューリングされ得る。
【００１２】
ＰＤＣＣＨ／ＥＰＤＣＣＨは、スケジューリング決定及び電力制御コマンドなどのダウンリンク制御情報（ＤＣＩ）を搬送する。例えば、ＤＣＩは、ダウンリンクスケジューリング割り当てを含み、それは、ＰＤＳＣＨ（Physical  Downlink  Shared  Channel）リソース標識、トランスポートフォーマット、ハイブリッドＡＲＱ情報及び（該当する場合）空間多重に関する制御情報などである。ダウンリンクスケジューリング割り当ては、ダウンリンクスケジューリング割り当てに応じてハイブリッドＡＲＱ肯定応答の送信のために使用されるＰＵＣＣＨ（Physical  Uplink  Control  Channel）の電力制御のためのコマンドをも含む。ＤＣＩは、アップリンクスケジューリンググラントをも含んでよく、それは、ＰＵＳＣＨ（Physical  Uplink  Shared  Channel）リソース標識、トランスポートフォーマット、及びハイブリッドＡＲＱ関連情報などである。アップリンクスケジューリンググラントは、ＰＵＳＣＨの電力制御のためのコマンドをも含む。ＤＣＩは、スケジューリング割り当て／グラントに含まれるコマンドを補うものとして、端末のセットのための電力制御コマンドをも含み得る。
【００１３】
１つのＰＤＣＣＨ／ＥＰＤＣＣＨは、上で列挙した情報のグループのうちの１つを含む１つのＤＣＩメッセージを搬送する。基地局は複数の端末を同時にスケジューリングしてもよく、各端末はダウンリンク及びアップリンクの双方で同時にスケジューリングされ得ることから、各サブフレーム内で複数のスケジューリングメッセージが送信されるかもしれない。各スケジューリングメッセージは、別々のＰＤＣＣＨ／ＥＰＤＣＣＨリソース上で送信される。結果として、典型的には、各セル内の各サブフレームの範囲内に複数の同時のＰＤＣＣＨ／ＥＰＤＣＣＨ送信が存在する。さらに、様々な無線チャネル条件についてのサポートがリンク適応を使用し得る。リンク適応において、無線チャネル条件に適合するように、ＰＤＣＣＨ／ＥＰＤＣＣＨのためにリソース使用量を適応させることにより、ＰＤＣＣＨ／ＥＰＤＣＣＨのコードレートが選択される。
【００１４】
ＬＴＥにおいて、ｅＮＢは、ユーザ機器（ＵＥ）へアップリンク送信のスケジューリングコマンドを送信する。ＬＴＥ標準は、スケジューリングコマンドが送信される時間と、ＵＥがアップリンク信号を送信する時間との間の固定的な遅延を仕様化している。この遅延は、ＵＥにＰＤＣＣＨ／ＥＰＤＣＣＨを復号し及び送信用のアップリンク信号を準備するための時間を提供する。周波数分割複信（ＦＤＤ）サービングセルについて、このアップリンクグラント遅延は４ｍｓである。時分割複信（ＴＤＤ）サービングセルについては、このＵＬグラント遅延を４ｍｓよりも大きくすることができる。
【００１５】
ＬＴＥリリース１０標準は、２０ＭＨｚよりも大きな帯域幅をサポートする。ＬＴＥリリース１０の１つの要件は、ＬＴＥリリース８との後方互換性である。これは、スペクトル互換性を含む。互換性を提供する１つの手法は、２０ＭＨｚよりも広いＬＴＥリリース１０キャリアが、ＬＴＥリリース８端末にとって複数個のＬＴＥキャリアとして見えるようにすることである。そうした各キャリアは、コンポーネントキャリア（ＣＣ）として言及され得る。
【００１６】
早期のＬＴＥリリース１０配備について、ＬＴＥリリース１０対応端末の数は、既に存在するＬＴＥレガシー端末の数よりも小さい可能性が高いであろう。よって、レガシー端末について、広いキャリアの効率的な使用が必要とされ、即ち、レガシー端末を広帯域ＬＴＥリリース１０キャリアの全ての部分においてスケジューリングし得るようなキャリアを提供することが必要とされる。１つの解決策は、キャリアアグリゲーションを使用する。キャリアアグリゲーションを用いて、ＬＴＥリリース１０端末は、複数のコンポーネントキャリアを受信し得る。コンポーネントキャリアは、リリース８キャリアと同じ構造を有し得る。
【００１７】
図４は、キャリアアグリゲーションの一例を示している。１００ＭＨｚのシステム帯域幅は５つのコンポーネントキャリアにより表されてよく、その各々が２０ＭＨｚの帯域幅を有する。キャリアアグリゲーション対応のＵＥには、常にアクティブ化されているプライマリセル（ＰＣｅｌｌ）と、動的にアクティブ化され又は非アクティブ化され得る１つ以上のセカンダリセル（ＳＣｅｌｌ）と、が割り当てられ得る。
【００１８】
統合されるコンポーネントキャリアの数と共に個々のコンポーネントキャリアの帯域幅は、アップリンクとダウンリンクとで異なってよい。対称構成とは、ダウンリンクにおけるコンポーネントキャリアの数がアップリンクにおけるコンポーネントキャリアの数と同一である構成をいう。非対称構成とは、ダウンリンクとアップリンクとの間でコンポーネントキャリアの数が異なる構成をいう。セル内で構成されるコンポーネントキャリアの数は、端末に見えるコンポーネントキャリアの数とは異なってもよい。例えば、セルが同数のアップリンクコンポーネントキャリア及びダウンリンクコンポーネントキャリアで構成される場合でさえも、端末は、アップリンクコンポーネントキャリアよりも多くのダウンリンクコンポーネントキャリアをサポートしてよい。
【００１９】
キャリアアグリゲーションの他の特徴は、クロスキャリアスケジューリングを実行する能力である。クロスキャリアスケジューリングは、１つのコンポーネントキャリア上の（Ｅ）ＰＤＣＣＨが、（Ｅ）ＰＤＣＣＨメッセージの冒頭に挿入される３ビットのＣＩＦ（Carrier  Indicator  Field）を用いて他のコンポーネントキャリア上のデータ送信をスケジューリングすることを可能にする。所与のコンポーネントキャリア上のデータ送信のために、ＵＥは、ただ１つのコンポーネントキャリア（即ち、同じコンポーネントキャリアであるか又はクロスキャリアスケジューリングを介して異なるコンポーネントキャリアであるかのいずれか）の（Ｅ）ＰＤＣＣＨ上のスケジューリングメッセージを受信することを予期する。（Ｅ）ＰＤＣＣＨからＰＤＳＣＨへの上記マッピングが準静的に構成されてもよい。
【００２０】
ＬＴＥでは、ＰＣｅｌｌ上のアップリンク送信及びダウンリンク送信のためのスケジューリング情報は、（Ｅ）ＰＤＣＣＨを使用してＰＣｅｌｌ上で送信される。このスケジューリングの仕組みを、ＬＴＥではセルフスケジューリング法という。ＳＣｅｌｌについては、ＬＴＥは、セルフスケジューリング又はクロススケジューリングという２つのスケジューリングの仕組みをサポートする。（ＰＣｅｌｌセルフスケジューリングに類似する）ＳＣｅｌｌセルフスケジューリングを用いると、ＳＣｅｌｌについてのアップリンク及びダウンリンクのスケジューリング情報は、同じＳＣｅｌｌ上で（Ｅ）ＰＤＣＣＨを用いて送信される。ＳＣｅｌｌクロススケジューリングでは、ネットワークは、クロススケジューリングの仕組みを使用するように上位レイヤシグナリングを介してＳＣｅｌｌを構成する。このアプローチでは、ＳＣｅｌｌについてのアップリンク及びダウンリンクのスケジューリング情報は、第２のセル上で（Ｅ）ＰＤＣＣＨを用いて送信される。第２のセルは、ＰＣｅｌｌ又は他のＳＣｅｌｌであってよい。ＬＴＥでは、ダウンリンク及びアップリンクのスケジューリングの仕組みは併せて構成される（即ち、あるセルのダウンリンク送信及びアップリンク送信は、共にセルフスケジューリングであるか又は共にクロススケジューリングであるかのいずれかである）。
【００２１】
ＬＴＥと未ライセンススペクトルを共有し得る他のワイヤレスネットワーク技術は、ＷＬＡＮ（wireless  local  area  network）である。典型的なＷＬＡＮの配備は、メディアアクセスのためにＣＳＭＡ／ＣＡ（carrier  sense  multiple  access  with  collision  avoidance）でのキャリアセンス多重アクセスを使用する。これは、チャネルがＣＣＡ（clear  channel  assessment）を実行するためにセンシングされ、チャネルがアイドルであると判定される場合にのみ送信が開始されることを意味する。チャネルがビジーであると判定される場合には、送信はチャネルがアイドルになるまで延期される。同じ周波数を用いる複数のアクセスポイントのレンジが重複する場合、レンジ内の他のアクセスポイントとの間の同じ周波数上での送信が検出され得るときにおいて１つのアクセスポイントに関連する全ての送信が延期されるかもしれない。実質的には、複数のアクセスポイントが互いにレンジ内にある場合、それらはチャネルを時間的に共用しなければならなくなり、個々のアクセスポイントについてのスループットはひどく劣化し得る。
【００２２】
図５は、一例としてのＷＬＡＮのＬＢＴ（listen-before-talk）の仕組みを示している。第１のＷｉ−Ｆｉステーションがデータフレームを第２のＷｉ−Ｆｉステーションへ送信した後、第２のステーションは、１６μｓの遅延で第１のステーションへＡＣＫフレームを送り返す。ＡＣＫフレームは、ＬＢＴ動作を実行することなく、第２のステーションにより送信される。他のステーションがＡＣＫフレームの送信に干渉することを防止するために、ステーションは、チャネルが占有されたことが観測された後、チャネルが占有されているか否かをあらためて評価する前に、３４μｓの時間長（ＤＩＦＳという）にわたって待機する。
【００２３】
よって、送信することを望むステーションは、まず、固定的な時間長であるＤＩＦＳにわたって媒体をセンシングすることにより、ＣＣＡ（clear  channel  assessment）を実行する。媒体がアイドルである場合、ステーションは、媒体の所有権（ownership）を獲得してもよいものと想定し、フレーム交換シーケンスを開始する。媒体がビジーである場合、ステーションは、媒体がアイドルになるのを待ち、ＤＩＦＳにわたって待機し、及びランダムバックオフピリオドにわたってさらに待機する。ステーションが連続的にチャネルを占有することによって他のステーションがチャネルへアクセスすることを妨げるのをさらに防止するために、成功裏の送信の後、ステーションは、再度の送信の前にランダムバックオフを実行する。
【００２４】
ＰＩＦＳは、媒体への優先アクセスを獲得するために使用され、ＤＩＦＳ時間長よりも短い。１つの例として、ＰＩＦＳは、ＰＣＦ（point  coordination  function）下で動作するステーションにより、ビーコンフレームを優先的に送信するために使用され得る。各ＣＦＰ（Contention-Free  Period）の名目上の開始時に、上記ステーションは、媒体をセンシングする。媒体が１ＰＩＦＳピリオド（概して、２５μｓである）にわたってアイドルであると判定される場合、上記ステーションは、ＣＦパラメータセットエレメントとデリバリトラフィック標識メッセージエレメントとを含むビーコンフレームを送信する。
【００２５】
ＬＴＥは、これまで、専用の周波数スペクトルを使用してきた。専用スペクトルの１つの利点は、ＬＴＥシステムが、同じスペクトル内の他の非３ＧＰＰ無線アクセス技術と共存する必要がなく、スペクトル効率を最大化できることである。しかしながら、ＬＴＥに割り当てられたスペクトルは有限である。それは、アプリケーション／サービスからのより大きなスループットを求める需要の一層の増加を満たせないかもしれない。従って、３ＧＰＰは、ＬＴＥがライセンス済みスペクトルに加えて未ライセンススペクトルをいかにして使用し得るかをも仕様化する。
【００２６】
図６は、未ライセンススペクトルへのライセンス支援型のアクセスを伴うユーザ機器を示している。ライセンス支援型アクセスにおいて、ＵＥは、ライセンス済み帯域内のＰＣｅｌｌ及び未ライセンス帯域内の１つ以上のＳＣｅｌｌへ接続される。未ライセンススペクトル内のセカンダリセルは、ＬＡＡセカンダリセル（ＬＡＡ  ＳＣｅｌｌ）として言及され得る。ＬＡＡ  ＳＣｅｌｌは、ダウンリンクのみのモードで動作してもよく、又はアップリンクトラフィック及びダウンリンクトラフィックの双方と共に動作してもよい。いくつかのシナリオでは、ＬＴＥノードは、ライセンス済みセルからの支援無しで、ライセンス免除（license-exempt）のチャネルにおいてスタンドアローンモードで動作してもよい。
【００２７】
定義によると、未ライセンススペクトルを、複数の異なる技術によって同時に使用することができる。従って、ＬＡＡは、ＩＥＥＥ８０２．１１（Ｗｉ−Ｆｉ）など他のシステムと共存し及び協調しなければならない。Ｗｉ−Ｆｉシステムと公平に共存するためには、進行中の送信への深刻な干渉をもたらしかねない衝突を回避するために、ＳＣｅｌｌ上での送信は、ＬＢＴプロトコルに準拠する。これは、送信を開始する前にＬＢＴを実行すること、及び単一の送信バーストの最大時間長を制限することの双方を含む。最大送信バーストの時間長は、国及び領域固有の規制によって仕様化されている（例えば、日本では４ｍｓ、ＥＮ３０１．８９３によれば１３ｍｓである）。
【００２８】
図７は、ＬＴＥキャリアアグリゲーション及びＬＢＴを用いた未ライセンススペクトルへのライセンス支援型アクセスの一例を示している。図７は、ＬＡＡ  ＳＣｅｌｌ上での５つの送信バーストの例を示している。各送信バーストは、４ｍｓという最大許容送信時間長により制約される。各ＬＡＡ  ＳＣｅｌｌ送信の前は、リスニングピリオドである。例としての８ｍｓのバーストは、それぞれの前にリスニングピリオドを伴う２つの４ｍｓのバーストへ分割されている。
【００２９】
ＬＡＡ  ＳＣｅｌｌ上でアップリンク送信もまたサポートされる。１つのアプローチにおいて、ＵＥは、アップリンク送信スケジューリングコマンドを受信した後に、ＬＢＴプロトコルに従ってチャネルアクセスを試行する。
【００３０】
図８は、アップリンクＬＢＴプロトコルに基づくアップリンクのライセンス支援型アクセス送信の一例を示している。図示した例は、８ｍｓの占有時間をダウンリンクチャネル占有分のための４ｍｓとアップリンクチャネル占有分のための４ｍｓとに分割している。サブフレームｎ−４からｎ−１（即ち、４ｍｓ）におけるダウンリンク送信の受信後に、ＵＥは、サブフレームｎにおいてアップリンクのためのＣＣＡを実行する。チャネルがクリアである場合、ＵＥは、サブフレームｎからｎ＋３（即ち、４ｍｓ）にわたりアップリンクにおいて送信を行う。
【００３１】
他のアプローチにおいて、ＵＥは、アップリンク送信のスケジューリングコマンドの受信後にチャネルアクセスを開始するためにいかなるＬＢＴプロトコルにも従わない。ＬＢＴ及びＣＣＡは、ダウンリンク送信の開始の前に、ｅＮＢにより実行される。これは、逆方向グラントプロトコルとして言及され得る。
【００３２】
図９は、逆方向グラントプロトコルに基づくアップリンクのライセンス支援型アクセス送信の一例を示している。図示した例は、８ｍｓの占有時間をダウンリンクチャネル占有分のための４ｍｓとアップリンクチャネル占有分のための４ｍｓとに分割している。サブフレームｎ−４からｎ−１（即ち、４ｍｓ）におけるダウンリンク送信の受信後に、ＵＥは、ＣＣＡを行うことなく、サブフレームｎからｎ＋３（即ち、４ｍｓ）にわたりアップリンクにおいて送信を行う。
【００３３】
ＬＬＡでは多様なスケジューリング上の問題が生じる。例えば、ＬＴＥノードが未ライセンス帯域へいつアクセスし得るかを決定することは予測不能である。また、未ライセンス帯域内の同じキャリア上で動作する共存相手のＷｉ−Ｆｉノードは、非同期的に動作し、よって任意の時点で送信を開始し及び停止する可能性がある。これら要因の双方が、特定のフレームでダウンリンク送信を行わせ及び他のフレームでアップリンク送信を行わせることを要するダウンリンク送信及びアップリンク送信用の現行の定義済みのＬＴＥフレーム構造のいずれをＬＡＡが使用しようとする場合にも顕著な不利をもたらすことになる。固定フレーム構造タイプ１又はタイプ２のいずれが使用される場合にも、各サブフレームは、ダウンリンクサブフレーム、アップリンクサブフレーム、又は、ダウンリンク送信及びアップリンク送信の双方を搬送するスペシャルサブフレームとして予め決定される。
【００３４】
ｅＩＭＴＡなどのように、上記固定的なサブフレームタイプのうちの何らかのバリエーションを可能とする柔軟なサブフレーム構造が使用されるとしても、具体的なサブフレームは、やはりダウンリンク、アップリンク又はスペシャルサブフレームとして予め決定される。これら具体的なサブフレームにおいてチャネルアクセスが獲得されない場合、それら構造の柔軟性の無さが、特に高負荷時に、追加的な遅延をもたらし得る。そうした柔軟性の無さは、干渉及び／又はトラフィック需要への遅い適応可能性を理由として、ＬＡＡを望ましくないネットワーク構成にしかねない。
【００３５】
よって、ＬＡＡは、任意のサブフレームが少なくともダウンリンク送信又はアップリンク送信を搬送するための柔軟性を有するべきである。よって、ＬＡＡが旧来のフレーム構造が許すよりも高い柔軟性を有するべきであることから、旧来のＬＴＥフレーム構造はＬＡＡには適用可能ではない。任意のサブフレームがダウンリンク送信バースト又はアップリンク送信バーストの一部であり得る。概して、サブフレームがダウンリンク送信バースト又はアップリンク送信バーストの一部となることを可能にするための２種類の解決策が存在する。
【００３６】
１種類目の解決策において、ＵＥは、スケジューリングコマンドか又は他の手段かのいずれかを介して明示的にシグナリングされない限りどのサブフレームもダウンリンクサブフレームであるものと仮定することにより、サブフレームフォーマットを暗黙的に決定する。ダウンリンクサブフレームであると仮定される各サブフレームにおいて、ＵＥは、成功裏に制御メッセージ（例えば、（Ｅ）ＰＤＣＣＨ）を復号するか又はリファレンス信号（例えば、ＣＲＳ）を検出するかのいずれかによって、当該サブフレームが何らかのダウンリンク送信を含んでいるかを判定する。この種類の解決策は、ＵＥについて不連続受信（ＤＲＣ）サイクルの構成を制限する。スケジューリングは、サブフレームベースで完全に動的であり得る。潜在的な制限は、ダウンリンク送信バーストの次にそのダウンリンク送信バーストと同じセルにおいてＵＥからのアップリンク送信バーストが続く、スペシャルサブフレーム又は短縮ダウンリンクサブフレームについての必要性であり得る。恩恵は、ダウンリンクサブフレームが成功裏に検出され又は成功裏にスケジューリングされたアップリンクサブフレームにおいてアップリンク送信が行われる場合であっても、ＵＥが将来のサブフレームにおける送信のタイプの知識を何ら有する必要性が無いことである。これら解決策は、アップリンク及びダウンリンクが異なる周波数上にあるとしても、半二重（half-duplex）ＵＥにも適用されてよい。
【００３７】
他の種類の解決策において、ＵＥは、ダウンリンク送信バーストの開始と、当該ダウンリンク送信バースト内で後続のサブフレームの構成とを検出し、その後にアップリンク送信バーストがあればそれが明示的にＵＥへ指し示される。これが、サブフレームベースでサブフレーム上の信号の検出を何ら行うことなく、後続のサブフレームでＵＥが受信を行うことを可能にする。ダウンリンク送信バーストにおける最後のサブフレームは、当該ダウンリンク送信バーストと同じセルにおけるＵＥからアップリンク送信バーストが続いて行われる場合、第１の種類の解決策でもそうであったように、依然としてスペシャルサブフレーム又は短縮ダウンリンクサブフレームを必要とし得る。ＵＥは、第１の種類の解決策と同様、ダウンリンクサブフレームについて（Ｅ）ＰＤＳＣＨがスケジューリングされているか否かを検出するために、依然として（Ｅ）ＰＤＣＣＨ上でブラインド復号を実行する必要がある。
【００３８】
ＤＲＸ動作は、電力消費を節約するために重要である。よって、旧来のＤＲＸフレームワークをＬＡＡのために使用することが有益である。このフレームワークの下で、短縮ＤＲＸサイクルを用いて、ｅＮＢは、ＵＥを任意の特定のサブフレームにおいてターンオンし及びダウンリンク送信を探索できるように構成する柔軟性を有する。これは、ｅＮＢが電力面で効率的なやり方でキャリア上のリソースが使用され得るように、セルへ接続された複数のＵＥ向けのＤＲＸサイクルのオンとなるピリオドを時間的に均等に拡散することを可能にする。ＵＥは別々に各サブフレームのステータスを判定することから、どのＵＥも任意の時点で自身のＤＲＸサイクルからターンオンするように構成され得る。
【００３９】
２番目の種類の解決策では、より多くのＵＥについての短いＤＲＸサイクルのオンとなるピリオド（on  periods）が、それらＵＥがダウンリンク送信バースト及び任意の後続のアップリンク送信バーストの構成を指し示す当該送信バーストの冒頭のシグナリングを逸失しないように、一緒にグループ化される必要があるはずである。よって、ＵＥは、ダウンリンク送信バーストの開始をちょうど検出できるように自身の受信機チェーンをオンに維持することでより多くの電力を費やさなければならないかもしれない。基地局内のスケジューラは、ダウンリンクトラフィック又はアップリンクトラフィックが存在するかを事前に知得し又は判定し、及びある時間ピリオド向けにダウンリンクにおいて特定のＵＥをスケジューリングすべきかを判定し得るものの、そうした情報はＵＥにとっては利用可能でない。よって、ＵＥは、所与のキャリア向けの自身の受信機チェーンを、ダウンリンクトラフィックを何ら受信しない場合でもオープンに維持する。
【発明の概要】
【課題を解決するための手段】
【００４０】
ここで説明される実施形態は、スケジューリングの柔軟性を可能にし及び情報の正確な更新を提供するために、自身のサービス対象のワイヤレスデバイスへ後続のダウンリンクサブフレーム及びアップリンクサブフレームに関する情報を送信するネットワークノード、を含む。例えば、ネットワークノードは、自身のバッファステータスに基づいて、ある具体的な個数のダウンリンクサブフレームで送信を行うことになると判定し、次のｎ個のサブフレーム内でダウンリンクでの送信を行うことをワイヤレスデバイスへシグナリングし得る。ネットワークノードに追加的なダウンリンクデータが到来した場合、ネットワークノードは、追加的なダウンリンクサブフレームで送信を行うことになると判定し、次のｘ個のサブフレーム内でダウンリンクでの送信を行うことをワイヤレスデバイスへシグナリグする。ワイヤレスデバイスがアップリンク送信の許可をリクエストすると、ネットワークノードは、いくつのダウンリンク送信サブフレームが残っているかを判定し、それらダウンリンクサブフレームの次のｙ個のサブフレームがアップリンクサブフレームになると判定し得る。ネットワークノードは、この更新情報をワイヤレスデバイスへシグナリングし得る。具体的な実施形態は、ライセンス済みスペクトル、未ライセンススペクトル、又はライセンス済み共有スペクトル上での動作へ適用されてよい。
【００４１】
いくつかの実施形態によれば、ネットワークノードにおける方法は、第１の複数の連続するサブフレームについての第１のアップリンク／ダウンリンクスケジューリングパターンを決定することと、上記第１のアップリンク／ダウンリンクスケジューリングパターンをワイヤレスデバイスへ送信することと、上記第１のアップリンク／ダウンリンクスケジューリングパターンに従って、上記ワイヤレスデバイスへ少なくとも１つのサブフレームを送信することと、第２の複数の連続するサブフレームについての第２のアップリンク／ダウンリンクスケジューリングパターンを決定することと、上記第１の複数の連続するサブフレーム及び上記第２の複数の連続するサブフレームは、少なくとも１つのサブフレームを共有することと、上記第２のアップリンク／ダウンリンクスケジューリングパターンを上記ワイヤレスデバイスへ送信することと、を含む。
【００４２】
具体的な実施形態において、上記第１のアップリンク／ダウンリンクスケジューリングパターンは、上記第１の複数の連続するサブフレームにおけるダウンリンクサブフレームの数を表す第１の値と、上記第１の複数の連続するサブフレームにおけるアップリンクサブフレームの数を表す第２の値と、を含む。他の実施形態において、上記第１のアップリンク／ダウンリンクスケジューリングパターンは、上記第１の複数のサブフレーム内の、上記ワイヤレスデバイスがダウンリンクをモニタリングしないサブフレームのセット、又は、上記第１の複数のサブフレーム内の、上記ワイヤレスデバイスがダウンリンクをモニタリングするサブフレームのセット、のうちの少なくとも１つを含む。
【００４３】
具体的な実施形態において、上記第１のアップリンク／ダウンリンクスケジューリングパターンを上記ワイヤレスデバイスへ送信することは、上記第１のアップリンク／ダウンリンクスケジューリングパターンを、ＬＴＥ（long  term  evolution）のＰＤＣＣＨ（physical  downlink  control  channel）、ＥＰＤＣＣＨ（enhanced  physical  downlink  control  channel）又はＰＣＦＩＣＨ（physical  control  format  indicator  channel）において送信すること、を含む。
【００４４】
具体的な実施形態において、上記ネットワークノードは、第１のセルへサービスし、上記第１のアップリンク／ダウンリンクスケジューリングパターンは、上記第１のセルとは異なる第２のセルへ適用される。
【００４５】
いくつかの実施形態によれば、ワイヤレスデバイスにおける方法は、ネットワークノードから、第１の複数の連続するサブフレームについての第１のアップリンク／ダウンリンクスケジューリングパターンを受信することと、上記第１のアップリンク／ダウンリンクスケジューリングパターンに従って、少なくとも１つのサブフレームを受信することと、上記ネットワークノードから、第２の複数の連続するサブフレームについての第２のアップリンク／ダウンリンクスケジューリングパターンを受信することと、上記第１の複数の連続するサブフレーム及び上記第２の複数の連続するサブフレームは、少なくとも１つのサブフレームを共有することと、を含む。
【００４６】
具体的な実施形態において、上記第１のアップリンク／ダウンリンクスケジューリングパターンは、上記第１の複数の連続するサブフレームにおけるダウンリンクサブフレームの数を表す第１の値と、上記第１の複数の連続するサブフレームにおけるアップリンクサブフレームの数を表す第２の値と、を含む。他の実施形態において、上記第１のアップリンク／ダウンリンクスケジューリングパターンは、上記第１の複数のサブフレーム内の、上記ワイヤレスデバイスがダウンリンクをモニタリングしないサブフレームのセット、及び上記第１の複数のサブフレーム内の、上記ワイヤレスデバイスがダウンリンクをモニタリングするサブフレームのセット、のうちの少なくとも１つを含む。
【００４７】
具体的な実施形態において、上記第１のアップリンク／ダウンリンクスケジューリングパターンを上記ネットワークノードから受信することは、上記第１のアップリンク／ダウンリンクスケジューリングパターンを、ＬＴＥのＰＤＣＣＨ、ＥＰＤＣＣＨ又はＰＣＦＩＣＨにおいて受信すること、を含む。
【００４８】
具体的な実施形態において、上記ネットワークノードは、第１のセルへサービスし、上記第１のアップリンク／ダウンリンクスケジューリングパターンは、上記第１のセルとは異なる第２のセルへ適用される。
【００４９】
いくつかの実施形態によれば、ネットワークノードは、プロセッサ及びメモリを備える。上記プロセッサは、第１の複数の連続するサブフレームについての第１のアップリンク／ダウンリンクスケジューリングパターンを決定し、上記第１のアップリンク／ダウンリンクスケジューリングパターンをワイヤレスデバイスへ送信し、上記第１のアップリンク／ダウンリンクスケジューリングパターンに従って、上記ワイヤレスデバイスへ少なくとも１つのサブフレームを送信し、上記第１の複数の連続するサブフレームと少なくとも１つのサブフレームを共有する第２の複数の連続するサブフレームについての第２のアップリンク／ダウンリンクスケジューリングパターンを決定し、上記第２のアップリンク／ダウンリンクスケジューリングパターンを上記ワイヤレスデバイスへ送信する、ように動作可能である。
【００５０】
いくつかの実施形態によれば、ワイヤレスデバイスは、プロセッサ及びメモリを備える。上記プロセッサは、ネットワークノードから、第１の複数の連続するサブフレームについての第１のアップリンク／ダウンリンクスケジューリングパターンを受信し、上記第１のアップリンク／ダウンリンクスケジューリングパターンに従って、少なくとも１つのサブフレームを受信し、上記ネットワークノードから、上記第１の複数の連続するサブフレームと少なくとも１つのサブフレームを共有する第２の複数の連続するサブフレームについての第２のアップリンク／ダウンリンクスケジューリングパターンを受信する、ように動作可能である。
【００５１】
いくつかの実施形態によれば、ネットワークノードは、決定モジュール及び送信モジュールを備える。上記決定モジュールは、第１の複数の連続するサブフレームについての第１のアップリンク／ダウンリンクスケジューリングパターンを決定する、ように動作可能である。上記送信モジュールは、上記第１のアップリンク／ダウンリンクスケジューリングパターンをワイヤレスデバイスへ送信し、及び、上記第１のアップリンク／ダウンリンクスケジューリングパターンに従って、上記ワイヤレスデバイスへ少なくとも１つのサブフレームを送信する、ように動作可能である。上記決定モジュールは、上記第１の複数の連続するサブフレームと少なくとも１つのサブフレームを共有する第２の複数の連続するサブフレームについての第２のアップリンク／ダウンリンクスケジューリングパターンを決定する、ようにさらに動作可能である。上記送信モジュールは、上記第２のアップリンク／ダウンリンクスケジューリングパターンを上記ワイヤレスデバイスへ送信する、ようにさらに動作可能である。
【００５２】
いくつかの実施形態によれば、ワイヤレスデバイスは、パターン受信モジュール及びサブフレーム受信モジュールを備える。上記パターン受信モジュールは、ネットワークノードから、第１の複数の連続するサブフレームについての第１のアップリンク／ダウンリンクスケジューリングパターンを受信する、ように動作可能である。上記サブフレーム受信モジュールは、上記第１のアップリンク／ダウンリンクスケジューリングパターンに従って、少なくとも１つのサブフレームを受信する、ように動作可能である。上記パターン受信モジュールは、上記ネットワークノードから、上記第１の複数の連続するサブフレームと少なくとも１つのサブフレームを共有する第２の複数の連続するサブフレームについての第２のアップリンク／ダウンリンクスケジューリングパターンを受信する、ようにさらに動作可能である。
【００５３】
コンピュータプログラムプロダクトもまた開示される。コンピュータプログラムプロダクトは、非一時的なコンピュータ読取可能な媒体に記憶される命令を含み、それら命令は、プロセッサにより実行された場合に、第１の複数の連続するサブフレームについての第１のアップリンク／ダウンリンクスケジューリングパターンを決定し、上記第１のアップリンク／ダウンリンクスケジューリングパターンをワイヤレスデバイスへ送信し、上記第１のアップリンク／ダウンリンクスケジューリングパターンに従って、上記ワイヤレスデバイスへ少なくとも１つのサブフレームを送信し、上記第１の複数の連続するサブフレームと少なくとも１つのサブフレームを共有する第２の複数の連続するサブフレームについての第２のアップリンク／ダウンリンクスケジューリングパターンを決定し、上記第２のアップリンク／ダウンリンクスケジューリングパターンを上記ワイヤレスデバイスへ送信する、動作を行う。
【００５４】
他のコンピュータプログラムプロダクトは、非一時的なコンピュータ読取可能な媒体に記憶される命令を含み、それら命令は、プロセッサにより実行された場合に、ネットワークノードから、第１の複数の連続するサブフレームについての第１のアップリンク／ダウンリンクスケジューリングパターンを受信し、上記第１のアップリンク／ダウンリンクスケジューリングパターンに従って、少なくとも１つのサブフレームを受信し、上記ネットワークノードから、上記第１の複数の連続するサブフレームと少なくとも１つのサブフレームを共有する第２の複数の連続するサブフレームについての第２のアップリンク／ダウンリンクスケジューリングパターンを受信する、動作を行う。
【発明の効果】
【００５５】
具体的な実施形態は、次の技術的な利点のうちのいくつかを呈し得る。具体的な実施形態は、スケジューリングの柔軟性を提供し、その柔軟性が、ネットワーク効率を改善し（例えば、効率的な帯域幅使用）並びに干渉及び／又はトラフィック需要への適応可能性を提供する。長い送信バーストの冒頭でスケジューリングパターンを固定することに関連付けられる問題が回避され得る。具体的な実施形態は、スケジューリング情報が受信される特定の時点のために全てのワイヤレスデバイスが不連続受信モードからウェイクアップし探索を行うことを要しないことで、電力及びバッテリ寿命を節約する。他の技術的な利点が以下の図面、説明及び特許請求の範囲から当業者にとって容易に明らかとなるであろう。
【図面の簡単な説明】
【００５６】
実施形態並びにそれらの特徴及び利点のより充分な理解のために、次の添付図面と併せて以下の説明への参照がこれよりなされる：
【００５７】
【図１】一例としてのＯＦＤＭ（Orthogonal  Frequency-Division  Multiplexed）シンボルを示している。
【図２】一例としての無線フレームを示している。
【図３】一例としてのダウンリンクサブフレームを示している。
【図４】キャリアアグリゲーションの一例を示している。
【図５】一例としてのＷＬＡＮ  ＬＢＴ（listen-before-talk）の仕組みを示している。
【図６】未ライセンススペクトルへのライセンス支援型アクセスを伴うユーザ機器を示している。
【図７】ＬＴＥキャリアアグリゲーションを用いた未ライセンススペクトルへのライセンス支援型アクセス及びＬＢＴの一例を示している。
【図８】アップリンクのＬＢＴプロトコルに基づくアップリンクのライセンス支援型アクセス送信の一例を示している。
【図９】逆方向グラントプロトコルに基づくアップリンクのライセンス支援型アクセス送信の一例を示している。
【図１０】具体的な実施形態に係る一例としてのワイヤレスネットワークを示すブロック図である。
【図１１】いくつかの実施形態に係る、複数のサブフレームについてのアップリンク／ダウンリンクパターンをスケジューリングするネットワークノードにおける一例としての方法を示すフロー図である。
【図１２】いくつかの実施形態に係る、複数のサブフレームについてのアップリンク／ダウンリンクパターンを受信するワイヤレスデバイスにおける一例としての方法を示すフロー図である。
【図１３Ａ】ワイヤレスデバイスの一例としての実施形態を示すブロック図である。
【図１３Ｂ】ワイヤレスデバイスの例示的なコンポーネント群を示すブロック図である。
【図１４Ａ】ネットワークノードの一例としての実施形態を示すブロック図である。
【図１４Ｂ】ネットワークノードの例示的なコンポーネント群を示すブロック図である。
【発明を実施するための形態】
【００５８】
未ライセンス帯域への（例えば、ＬＢＴ（listen-before  talk）プロトコルに基づく）アクセスは予測不能であり、未ライセンス帯域上で動作するＷｉ−Ｆｉノードは非同期的に動作することから、ライセンス支援型アクセス（ＬＡＡ）は、ダウンリンク送信及びアップリンク送信について旧来の固定フォーマットのＬＴＥフレーム構造を用いると効率的に動作しないかもしれない。固定フォーマットを用いる場合、予め決定されるサブフレームにおいてチャネルアクセスが獲得されなければ、特に高負荷時には送信が遅延することになりかねない。
【００５９】
本開示の目的は、少なくとも上の不利を軽減し、及び任意のサブフレームがダウンリンク送信又はアップリンク送信を包含するような柔軟性をＬＡＡに提供することである。ここで説明される実施形態は、自身のサービス対象のワイヤレスデバイスへ後続のダウンリンク及びアップリンクサブフレームに関する情報を送信してスケジューリングの柔軟性を可能にし及びそうした情報の正確な更新を提供するネットワークノードを含む。また、実施形態は、柔軟なアップリンク及びダウンリンクスケジューリング情報を受信し、及びその柔軟なアップリンク／ダウンリンクパターンに従ってサブフレームを受信し又は送信する、ように動作可能なワイヤレスデバイスをも含む。
【００６０】
よって、具体的な実施形態は、スケジューリングの柔軟性を提供し、その柔軟性が、ネットワーク効率を改善し、並びに干渉及び／又はトラフィック需要への適応可能性を提供する。具体的な実施形態は、スケジューリング情報が受信される特定の時点のために全てのワイヤレスデバイスが不連続受信モードからウェイクアップし探索を行うことを要しないことで、電力及びバッテリ寿命を節約する。
【００６１】
以下の説明は、多くの具体的な詳細を呈示する。しかしながら、実施形態がそれら具体的な詳細が無くとも実践され得ることが理解されるであろう。他の例において、よく知られた回路、構造及び技法は、その説明の理解を曖昧にしないために詳細には示されていない。当業者は、包含される説明によって、過度な実験をせずとも適切な機能性を実装することができるであろう。
【００６２】
本明細書における、“１つの実施形態”、“一実施形態”、“例示的な実施形態”などへの言及は、説明される実施形態が特定の特徴、構造、又は特性を含み得るものの、あらゆる実施形態が当該特定の特徴、構造、又は特性を含むわけでは必ずしもないかもしれないことを示す。そのうえ、そうしたフレーズは、必ずしも同じ実施形態を指しているわけではない。さらに、一実施形態との関係において特定の特徴、構造、又は特性が説明されている場合、明示的に記載されているか否かに関わらず、他の実施形態との関係においてそうした特徴、構造、又は特性を実装することは、当業者の知識の範囲内であることが思量される。
【００６３】
具体的な実施形態が図面のうち図１０〜図１４Ｂへの参照と共に説明される。図面では、類似の番号が多様な図面の類似の及び対応する部分について使用されている。一例としてのセルラーシステムとして、本開示を通じてＬＴＥが使用されているが、ここで提示されるアイディアは他のワイヤレス通信システムへも適用されてよい。
【００６４】
図１０は、具体的な実施形態に係る一例としてのワイヤレスネットワークを示すブロック図である。ワイヤレスネットワーク１００は、１つ以上のワイヤレスデバイス１１０（モバイルフォン、スマートフォン、ラップトップコンピュータ、タブレットコンピュータ、ＭＴＣデバイス、又はワイヤレス通信を提供可能な任意の他のデバイスなど）と、複数のネットワークノード１２０（基地局又はｅＮｏｄｅＢなど）とを含む。ワイヤレスデバイス１１０は、ＵＥとして言及されてもよい。無線ネットワークノード１２０は、カバレッジエリア１１５（セル１１５ともいう）へサービスする。
【００６５】
概して、無線ネットワークノード１２０のカバレッジエリアの内部（例えば、ネットワークノード１２０によりサービスされるセル１１５の内部）にいるワイヤレスデバイス１１０は、ワイヤレス信号１３０を送受信することにより、無線ネットワークノード１２０と通信する。例えば、ワイヤレスデバイス１１０及び無線ネットワークノード１２０は、音声トラフィック、データトラフィック及び／又は制御信号を含むワイヤレス信号１３０を通信し得る。音声トラフィック、データトラフィック及び／又は制御信号をワイヤレスデバイス１１０へ通信するネットワークノード１２０は、ワイヤレスデバイス１１０にとってのサービングネットワークノード１２０としても言及され得る。ワイヤレス信号１３０は、（無線ネットワークノード１２０からワイヤレスデバイス１１０への）ダウンリンク送信及び（ワイヤレスデバイス１１０から無線ネットワークノード１２０への）アップリンク送信の双方を含み得る。
【００６６】
ワイヤレス信号１３０は、図１〜図３を参照しながら説明したものなどのフレーム及びサブフレームを含み得る。ネットワークノード１２０は、アップリンクサブフレーム、ダウンリンクサブフレーム、又はアップリンク及びダウンリンクの組み合わせのサブフレームとして、サブフレームを動的にスケジューリングし得る。
【００６７】
ネットワークノード１２０は、ＬＴＥスペクトルなどのライセンス済み周波数スペクトルにおいて動作し得る。ネットワークノード１２０は、５ＧＨｚのＷｉ−Ｆｉスペクトルなどの未ライセンス周波数スペクトルにおいても動作し得る。未ライセンス周波数スペクトルにおいて、ネットワークノード１２０は、ＩＥＥＥ８０２．１１アクセスポイント及び端末といった他のデバイスと共存し得る。未ライセンススペクトルを共有するために、ネットワークノード１２０は、ワイヤレス信号１３０を送受信する前にＬＢＴプロトコルを実行し得る。ワイヤレスデバイス１１０は、ライセンス済みスペクトル及び未ライセンススペクトルの一方又は双方において動作してもよく、いくつかの実施形態では、ワイヤレス信号１３０を送信する前にＬＢＴプロトコルを実行してもよい。ネットワークノード１２０及びワイヤレスデバイス１１０の双方がライセンス済みの共有スペクトルにおいて動作してもよい。
【００６８】
例えば、ネットワークノード１２０ａがライセンス済みスペクトルにおいて動作し、ネットワークノード１２０ｂが未ライセンススペクトルにおいて動作してもよい。ワイヤレスデバイス１１０は、ライセンス済みスペクトル及び未ライセンススペクトルの双方において動作してもよい。具体的な実施形態において、ネットワークノード１２０ａ及び１２０ｂは、ライセンス済みスペクトル、未ライセンススペクトル、ライセンス済み共有スペクトル、又は任意の組み合わせにおいて動作するように構成可能であってよい。セル１１５ｂのカバレッジエリアはセル１１５ａのカバレッジエリア内に含まれるように図示されているものの、具体的な実施形態において、セル１１５ａ及び１１５ｂのカバレッジエリアは部分的に重なり合ってもよく、又は全く重ならなくてもよい。
【００６９】
各ネットワークノード１２０は、ワイヤレスデバイス１１０へ信号１３０を送信するための単一の送信機又は複数の送信機を有し得る。いくつかの実施形態において、ネットワークノード１２０は、ＭＩＭＯ（multi-input  multi-output）システムを含んでもよい。同様に、各ワイヤレスデバイス１１０は、ネットワークノード１２０又は他のワイヤレスデバイス１１０から信号１３０を受信するための単一の受信機又は複数の受信機を有し得る。
【００７０】
具体的な実施形態において、ワイヤレスデバイス１１０及びネットワークノード１２０は、キャリアアグリゲーションを実行してもよい。例えば、ネットワークノード１２０ａがＰＣｅｌｌとしてワイヤレスデバイス１１０へサービスし、及びネットワークノード１２０ｂがＳＣｅｌｌとしてワイヤレスデバイス１１０へサービスしてもよい。ネットワークノード１２０は、セルフスケジューリングを実行してもよく又はクロススケジューリングを実行してもよい。ネットワークノード１２０ａがライセンス済みスペクトルで動作し及びネットワークノード１２０ｂが未ライセンススペクトルで動作している場合、ネットワークノード１２０ａは、未ライセンススペクトルへのライセンス支援型アクセスを提供してもよい（即ち、ネットワークノード１２０ａがＬＡＡ  ＰＣｅｌｌ、ネットワークノード１２０ｂがＬＡＡ  ＳＣｅｌｌ）。
【００７１】
具体的な実施形態において、ネットワークノード１２０ａは、ワイヤレスデバイス１１０のためにアップリンクサブフレーム及びダウンリンクサブフレームを動的にスケジューリングし得る。例えば、具体的な実施形態において、ネットワークノード１２０ａは、第１の複数の連続するサブフレームについての第１のアップリンク／ダウンリンクスケジューリングパターンを決定し得る。ネットワークノード１２０ａは、その第１のアップリンク／ダウンリンクスケジューリングパターンをワイヤレスデバイス１１０へ（例えば、（Ｅ）ＰＤＣＣＨを用いて）送信し、及びその第１のアップリンク／ダウンリンクスケジューリングパターンに従って、ワイヤレスデバイス１１０へ少なくとも１つのサブフレームを送信し得る。
【００７２】
ネットワークノード１２０ａは、追加的なダウンリンクデータ又はワイヤレスデバイスからのアップリンク送信を求めるリクエストを受信した場合、例えば、第２の複数の連続するサブフレームについての第２のアップリンク／ダウンリンクスケジューリングパターンを決定し得る。ネットワークノード１２０ａは、ワイヤレスデバイス１１０向けに以前にスケジューリングされたサブフレームのいずれかにおいて、ワイヤレスデバイス１１０へ第２のアップリンク／ダウンリンクスケジューリングパターンを送信し得る。
【００７３】
具体的な実施形態において、アップリンク／ダウンリンクスケジューリングパターンは、後続するダウンリンクサブフレームの数、後続するダウンリンク及びアップリンクサブフレームの数、どのサブフレームをダウンリンクについてモニタリングすべきか若しくはモニタリングしないべきかの標識、又は何らかの他の適したパターンを含んでよい。ネットワークノードに関する他の実施形態が後により詳細に説明される。
【００７４】
具体的な実施形態において、ワイヤレスデバイス１１０は、ネットワークノード１２０から（例えば、（Ｅ）ＰＤＣＣＨを用いて）第１の複数の連続するサブフレームについての第１のアップリンク／ダウンリンクスケジューリングパターンを受信し得る。ワイヤレスデバイス１１０は、第１のアップリンク／ダウンリンクスケジューリングパターンに従って、少なくとも１つのサブフレームを受信し得る。スケジューリングされたダウンリンクサブフレームのうちの１つにおいて、ワイヤレスデバイス１１０は、第２の複数の連続するサブフレームについての第２のアップリンク／ダウンリンクスケジューリングパターンを受信し得る。ワイヤレスデバイスに関する他の実施形態が後により詳細に説明される。
【００７５】
具体的な実施形態がライセンス済み若しくは未ライセンスのスペクトル、ライセンス支援型アクセス及び／又はキャリアアグリゲーションに関して説明されているものの、ここで説明される実施形態は、任意のスペクトルにおける動的なアップリンク及びダウンリンクのスケジューリングに、単一のセル又は複数のセルの任意の組み合わせに関して当てはまる。
【００７６】
ワイヤレスネットワーク１００において、各無線ネットワークノード１２０は、ＬＴＥ（long  term  evolution）、ＬＴＥアドバンスト、ＵＭＴＳ、ＨＳＰＡ、ＧＳＭ、ｃｄｍａ２０００、ＷｉＭａｘ、ＷｉＦｉ及び／又は他の適した無線アクセス技術など、いかなる適した無線アクセス技術を使用してもよい。ワイヤレスネットワーク１００は、１つ以上の無線アクセス技術のいかなる適した組み合わせを含んでもよい。例示の目的のために、ある無線アクセス技術の文脈の範囲内で多様な実施形態が説明され得る。しかしながら、本開示のスコープは、それら例には限定されず、他の実施形態は異なる無線アクセス技術を使用し得るはずである。
【００７７】
上述したように、ワイヤレスネットワークの実施形態は、１つ以上のワイヤレスデバイスと、それらワイヤレスデバイスと通信可能な様々なタイプの１つ以上の無線ネットワークノードとを含み得る。また、ネットワークは、ワイヤレスデバイス間の又はワイヤレスデバイスと（地上線電話などの）他の通信デバイスとの間の通信をサポートするために適したいかなる追加的なエレメントを含んでもよい。ワイヤレスデバイスは、ハードウェア及び／又はソフトウェアのいかなる適した組み合わせを含んでもよい。例えば、具体的な実施形態において、ワイヤレスデバイス１１０などのワイヤレスデバイスは、後に図１３Ａに関連して説明されるコンポーネント群を含んでもよい。同様に、ネットワークノードは、ハードウェア及び／又はソフトウェアのいかなる適した組み合わせを含んでもよい。例えば、具体的な実施形態において、ネットワークノード１２０などのネットワークノードは、後に図１４Ａに関連して説明されるコンポーネント群を含んでもよい。
【００７８】
以下の実施形態は、スケジューリングの柔軟性を可能にし及び情報の正確な更新を提供するために、サービス対象のワイヤレスデバイスへ後続のダウンリンクサブフレーム及びアップリンクサブフレームに関する情報を送信するネットワークノード、を説明する。以下の一般的な説明は、ネットワークノードにおける例示的な方法及びワイヤレスデバイスにおける例示的な方法の説明である。
【００７９】
いくつかの実施形態において、ネットワークノードは、ＰＤＣＣＨ又はＥＰＤＣＣＨにおいて後続のダウンリンク及びアップリンクサブフレームの情報を送信する。その情報は、その時点のサブフレームの後に続くことになるダウンリンクサブフレームの数及びアップリンクサブフレームの数を表現する２つの数値を含み得る。他の実施形態において、上記情報は、後に続くことになるダウンリンクサブフレームの明示的な数といったダウンリンク情報のみを含んでもよい。
【００８０】
例えば、第１のサブフレームｎにおいて、ｅＮＢは、自身のその時点のバッファステータスに基づいて、続けて２個のダウンリンクサブフレーム及び０個のアップリンクサブフレームを送信すると決定し得る。ｅＮＢは、サブフレームｎ＋１及びｎ＋２においてダウンリンクで送信を行う意図を有することをブロードキャストし得る。言い換えると、ｅＮＢは、第１の複数の連続するサブフレーム（即ち、サブフレームｎ＋１及びｎ＋２）についての第１のアップリンク／ダウンリンクスケジューリングパターン（即ち、２ＤＬ，０ＵＬ）を決定し及び送信し得る。
【００８１】
追加的なダウンリンクデータがｅＮＢに到来すると、例えば、ｅＮＢは、５個のダウンリンクサブフレーム及び０個のアップリンクサブフレームを送信すると、サブフレームｎ＋１において決定し得る。ｅＮＢは、サブフレームｎ＋２、ｎ＋３、ｎ＋４、ｎ＋５及びｎ＋６においてダウンリンクで送信を行う意図を有することをブロードキャストし得る。言い換えると、第２の複数の連続するサブフレーム（即ち、サブフレームｎ＋２、ｎ＋３、ｎ＋４、ｎ＋５及びｎ＋６）についての第２のアップリンク／ダウンリンクスケジューリングパターン（即ち、５ＤＬ，０ＵＬ）を決定し及び送信し得る。当該第２の複数の連続するサブフレームは、上記第１の複数の連続するサブフレームと少なくとも１つのサブフレームを共有する（即ち、サブフレームｎ＋２）。
【００８２】
ｅＮＢは、トラフィックパターンにより決定される通りに、サブフレームのスケジューリングを動的に更新することを続けてよい。例えば、複数のＵＥがアップリンク送信の許可を要求する場合、ｅＮＢは、４個のダウンリンクサブフレーム及び３個のアップリンクサブフレームを送信すると、サブフレームｎ＋２において決定し得る。ｅＮＢは、サブフレームｎ＋３、ｎ＋４、ｎ＋５及びｎ＋６においてダウンリンクで送信を行い、その後ＵＥをサブフレームｎ＋７、ｎ＋８及びｎ＋９においてアップリンクで送信を行うようにスケジューリングするという意図を有することをブロードキャストし得る。
【００８３】
具体的な実施形態において、ネットワークノードは、例えばＰＣｅｌｌ、ＳＣｅｌｌ又はＬＡＡ  ＳＣｅｌｌ上でスケジューリング情報を送信してもよい。ある（Ｅ）ＰＤＣＣＨがＰＣｅｌｌについて又は１つ以上のＳＣｅｌｌ（例えば、未ライセンススペクトル上での動作のためのＬＡＡ  ＳＣｅｌｌ）についての後続のダウンリンク及びアップリンクサブフレームの情報を搬送してもよい。スケジューリング情報は、セルフスケジューリング型であってもよく又はクロススケジューリング型であってもよい。
【００８４】
いくつかの実施形態において、ネットワークノードは、ブロードキャスト又は専用シグナリングを使用して、ワイヤレスデバイスへ当該ワイヤレスデバイスが具体的なダウンリンクサブフレームをモニタリングすべきかを通知してもよい。より一般的には、ネットワークノードは、上述したものと同じ動的なスケジューリングをもたらし得る多様な情報をワイヤレスデバイスへ提供してよい。例えば、具体的な実施形態において、ネットワークノードは、来たるべきアップリンクサブフレームのセット（又はウィンドウ）を提供してもよい。ネットワークノードは、来たるべきダウンリンクサブフレームのセット（又はウィンドウ）を提供してもよい。具体的な実施形態において、ネットワークノードは、ワイヤレスデバイスがダウンリンクをモニタリングする必要の無いサブフレームのセット（又はウィンドウ）を提供してもよい。ネットワークノードは、ワイヤレスデバイスがダウンリンクをモニタリングする必要のあるサブフレームのセット（又はウィンドウ）を提供してもよい。サブフレームのセット又はウィンドウを特定する上記実施形態において、サブフレームのセット又はウィンドウは、ワイヤレスデバイスが情報を受信する時点から開始してもよく、所与の定数（例えば、サブフレーム数、ｍｓ数など）だけ時間的にオフセットされてもよい。上述したように、上記スケジューリング情報は、ＰＣｅｌｌ、ＳＣｅｌｌ、ＬＡＡ  ＳＣｅｌｌ上で送信されてもよく、セルフスケジューリング型やクロススケジューリング型であるなどしてもよい。
【００８５】
いくつかの実施形態において、アクティブ時間中である（即ち、ＤＲＸ中でない）ワイヤレスデバイスについて、ワイヤレスデバイスは、いつのサブフレームでダウンリンクをモニタリングしないべきかを判定することにより電力を節約してもよい。例えば、ワイヤレスデバイスは、ネットワークノードが所与の時点についてアップリンクで他のワイヤレスデバイスをスケジューリングしたこと、又は、ネットワークノードが所与の時点についてダウンリンクでの送信を意図していないことの通知を受けてもよい。
【００８６】
具体的な実施形態において、ネットワークノードは、ＰＤＣＣＨを用いてワイヤレスデバイスへ通知を行ってもよい。例えば、ネットワークノードは、ＰＤＣＣＨ上で共通サーチスペースの範囲内でＤＣＩメッセージを送信して、ワイヤレスデバイスにネットワークノードがいつアップリンクへシフトするか又は所与のセル（例えば、ＬＡＡ  ＳＣｅｌｌ）上でそれ以上送信を行わないかを通知してもよい。ネットワークノードは、上記情報を固有のＲＮＴＩと共に送信してもよい。ＲＮＴＩは、例えば、ＬＡＡ  ＳＣｅｌｌのケースではＬＡＡ−ＲＮＴＩであってもよい。ワイヤレスデバイスがＤＣＩメッセージを受信しない場合、ワイヤレスデバイスは、当該ワイヤレスデバイスがアップリンクについてスケジューリングされない限りダウンリンクにあてはまるサブフレームでモニタリングすべきであると想定してよく、アップリンクについてスケジューリングされたケースではアップリンクにおいて送信を行うであろう。具体的な実施形態において、ワイヤレスデバイスについてのＰＣｅｌｌ及び他のセルアイデンティティは、ワイヤレスデバイス固有であってもよい。よって、具体的な実施形態は、複数のワイヤレスデバイスをまたいでセルを識別するための情報の共通的な形式を定義してもよい。具体的な実施形態は、複数のワイヤレスデバイスが同じサーチスペースを共有し得るようにＥＰＤＣＣＨ上の共通サーチスペースを定義することにより、同じ解決策をＥＰＤＣＣＨへ拡張してもよい。
【００８７】
他の実施形態は、例えば各ＬＡＡ  ＳＣｅｌｌなど、各セル上で制御チャネルを送信してもよく、その制御チャネルは、上述したスケジューリング情報を含む形で、全てのワイヤレスデバイスにより受信され得る。例えば、そうしたシグナリングは、ＰＣＦＩＣＨを再利用してもよい。ＰＤＣＣＨの末端位置とＰＤＳＣＨの開始位置とを指し示す代わりに、ＰＣＦＩＣＨは、ワイヤレスデバイスがダウンリンクにおいて次のサブフレームをモニタリングすべきかを指し示してもよい。ＰＣＦＩＣＨは、４つの値を指し示すことができる。具体的な実施形態において、ある値が次のサブフレームでダウンリンクをモニタリングすべきかを指し示してもよく、他の３つの値がダウンリンクをモニタリングすべきでないサブフレームのレンジを指し示してもよい。
【００８８】
具体的な実施形態は、上記信号が存在するかを判定するための検出器を伴うワイヤレスデバイスを含んでもよい。上記信号が検出されない場合、ワイヤレスデバイスがＤＲＸへ入るのではなければ、次のサブフレームでワイヤレスデバイスによりダウンリンクがモニタリングされてよい。
【００８９】
いくつかの実施形態において、ネットワークノードは、ダウンリンク送信信号のためにサブフレームをモニタリングしないことによりワイヤレスデバイスが電力を節約することを可能にするワイヤレスデバイス固有のシグナリングを用いてもよい。そのシグナリングは、アクティブ時間中の（即ち、ＤＲＸ中でない）ワイヤレスデバイスを対象とするブロードキャストの仕組みと同様であってよい。
【００９０】
具体的な実施形態において、ネットワークノードは、アップリンクサブフレームの期間中にダウンリンク送信信号をモニタリングしないことによりワイヤレスデバイスが電力を節約し得るということをワイヤレスデバイスへシグナリングする専用シグナリングを用いてもよい。例えば、具体的なサブフレームがアップリンクサブフレームになることをワイヤレスデバイスが知得している場合、それらサブフレームについてアップリンクグラントを割り当てられていないワイヤレスデバイスは、ダウンリンクにおけるサブフレームのモニタリングを停止することができる。他の例として、ワイヤレスデバイスは、来たるべきサブフレームのウィンドウの範囲内の具体的な数のサブフレームにわたってダウンリンクにおけるサブフレームのモニタリングを停止できるという通知を受けてもよい。そのウィンドウ長がスケジューラ並びにＬＢＴ及びＴＸＯＰに依存してもよい。
【００９１】
具体的な実施形態において、ネットワークノードは、ダウンリンクサブフレームの期間中にダウンリンク送信信号をモニタリングしないことによりワイヤレスデバイスが電力を節約し得るということをワイヤレスデバイスへシグナリングする専用シグナリングを用いてもよい。例えば、ワイヤレスデバイスは、来たるべきサブフレームのウィンドウの範囲内のある数のサブフレームにわたってダウンリンク送信信号をモニタリングしないことにより電力を節約し得るという通知を受けてもよい。そのウィンドウ長がスケジューラ並びにＬＢＴ及びＴＸＯＰに依存してもよい。
【００９２】
ワイヤレスデバイスに固有のシグナリングについて、具体的な実施形態は、ＰＤＣＣＨ又はＥＰＤＣＣＨのいずれかを使用してもよい。例えば、具体的な実施形態は、来たるべきサブフレームのウィンドウの範囲内のダウンリンクサブフレームをモニタリングすべきでないかをワイヤレスデバイスへ指し示す新たなビットを含んでもよい。そのウィンドウは、即座に開始してもよく、又はＤＣＩメッセージからのオフセットを伴ってもよい。アップリンクグラントについてオフセットが適用されてもよい。但し、ダウンリンクとアップリンクとの間の切り替えポイントがアップリンクグラントに直接的に続くサブフレーム内にある場合には、オフセットは必要でないかもしれない。ダウンリンク割り当てについて、オフセットは必要でないかもしれない。アップリンクと同様、アップリンクが他のワイヤレスデバイスのためにスケジューリングされる場合、ダウンリンク割り当ては、ウィンドウの開始点を指し示すためのオフセットとして使用されてもよい。
【００９３】
具体的な実施形態において、具体的なワイヤレスデバイスに専用のメッセージは、それ自体が適用されるセル又は他のセルのいずれかの上で送信されてよい。他のセル上で送信される場合、メッセージ内にセルインジケータが含められ得る。クロスキャリアスケジューリングについては、ＤＣＩメッセージは他のセル上で送信され得るが、上記標識はその対象とするセルへ適用されるものとの想定がなされ得る。
【００９４】
図１１は、いくつかの実施形態に係る、複数のサブフレームについてのアップリンク／ダウンリンクパターンをスケジューリングするネットワークノードにおける一例としての方法を示すフロー図である。具体的な実施形態において、図１１の１つ以上のステップは、図１０に関連して説明したワイヤレスネットワーク１００のネットワークノード１２０により実行され得る。
【００９５】
ステップ１１１２において、ネットワークノードは、第１の複数の連続するサブフレームについての第１のアップリンク／ダウンリンクスケジューリングパターンを決定する。例えば、ネットワークノード１２０ａは、自身のその時点のバッファステータスに基づいて、第１のアップリンク／ダウンリンクスケジューリングパターンが２個のダウンリンクサブフレームの送信の後に０個のアップリンクサブフレームが続くことを含むことを決定し得る。
【００９６】
具体的な実施形態において、第１のアップリンク／ダウンリンクスケジューリングパターンは、上述したアップリンク／ダウンリンクスケジューリングパターンのいずれかを含んでよい。例えば、当該パターンは、アップリンクサブフレームのダウンリンクの数、アップリンク又はダウンリンクをモニタリングすべき若しくはモニタリングをすべきでないフレームのセット若しくはウィンドウ、又は任意の適切なパターンの組み合わせを含み得る。
【００９７】
ステップ１１１４において、ネットワークノードは、第１のアップリンク／ダウンリンクスケジューリングパターンをワイヤレスデバイスへ送信する。例えば、ネットワークノード１２０ａは、サブフレームｎ＋１及びｎ＋２がダウンリンクサブフレームであることを示すパターンを送信してもよい。具体的な実施形態において、ネットワークノードは、アップリンク／ダウンリンクスケジューリングパターンを送信するために、上述したブロードキャスト又は専用シグナリング法のいずれを使用してもよい。いくつかの実施形態は、ＰＤＣＣＨ、ＥＰＤＣＣＨ又はＰＣＦＩＣＨのうちの任意の１つ以上を使用してもよい。
【００９８】
ステップ１１１６において、ネットワークノードは、第１のアップリンク／ダウンリンクスケジューリングパターンに従って、ワイヤレスデバイスへ少なくとも１つのサブフレームを送信する。例えば、ネットワークノード１２０ａは、ダウンリンクサブフレームｎ＋１をワイヤレスデバイス１１０へ送信し得る。クロススケジューリングを使用する実施形態などの具体的な実施形態において、別のネットワークノードが上記スケジューリングパターンに従ってワイヤレスデバイスへサブフレームを送信してもよい。
【００９９】
ステップ１１１８において、ネットワークノードは、第２の複数の連続するサブフレームについての第２のアップリンク／ダウンリンクスケジューリングパターンを決定し、ここで上記第１の複数の連続するサブフレーム及び上記第２の複数の連続するサブフレームは、少なくとも１つのサブフレームを共有する。例えば、ネットワークノード１２０ａは、追加的なダウンリンクデータに基づいて、サブフレームｎ＋１において、５個のダウンリンクサブフレーム及び０個のアップリンクサブフレームを送信することを決定してもよい。この例では、第２の複数の連続するサブフレーム（即ち、サブフレームｎ＋２、ｎ＋３、ｎ＋４、ｎ＋５及びｎ＋６）は、第１の複数の連続するサブフレームと少なくとも１つのサブフレームを共有する（即ち、サブフレームｎ＋２）。
【０１００】
ステップ１１２０において、ネットワークノードは、第２のアップリンク／ダウンリンクスケジューリングパターンをワイヤレスデバイスへ送信する。例えば、ネットワークノード１２０ａは、サブフレームｎ＋２、ｎ＋３、ｎ＋４、ｎ＋５及びｎ＋６がダウンリンクサブフレームであることを示すパターンをワイヤレスデバイス１１０へ送信してもよい。具体的な実施形態において、ネットワークノードは、アップリンク／ダウンリンクスケジューリングパターンを送信するために、上述したブロードキャスト又は専用シグナリング法のいずれを使用してもよい。
【０１０１】
方法１１００に対する修正、追加又は省略がなされてもよい。追加的に、図１１の方法１１００内の１つ以上のステップが、並列的に又は任意の適した順序で実行されてもよい。方法１１００の全て又は一部が必要であれば時間的に反復されてもよい。
【０１０２】
図１２は、いくつかの実施形態に係る、複数のサブフレームについてのアップリンク／ダウンリンクパターンを受信するワイヤレスデバイスにおける一例としての方法を示すフロー図である。具体的な実施形態において、図１１の１つ以上のステップは、図１０に関連して説明したワイヤレスネットワーク１００のネットワークノード１２０により実行され得る。
【０１０３】
ステップ１２１２において、ワイヤレスデバイスは、ネットワークノードから、第１の複数の連続するサブフレームについての第１のアップリンク／ダウンリンクスケジューリングパターンを受信する。例えば、ワイヤレスデバイス１１０は、ネットワークノード１２０ａから、サブフレームｎ＋１及びｎ＋２がダウンリンクサブフレームであることを示す第１のアップリンク／ダウンリンクスケジューリングパターンを受信してもよい。具体的な実施形態において、ワイヤレスデバイスは、上述したブロードキャスト又は専用シグナリング法のいずれかに従ってアップリンク／ダウンリンクスケジューリングパターンを受信する。いくつかの実施形態は、ＰＤＣＣＨ、ＥＰＤＣＣＨ又はＰＣＦＩＣＨのうちの任意の１つ以上を使用してもよい。アップリンク／ダウンリンクスケジューリングパターンは、上述したパターンのいずれを含んでもよい。
【０１０４】
ステップ１２１４において、ワイヤレスデバイスは、第１のアップリンク／ダウンリンクスケジューリングパターンに従って、少なくとも１つのサブフレームを受信する。例えば、ワイヤレスデバイス１１０は、ダウンリンクサブフレームｎ＋２を受信してもよい。
【０１０５】
ステップ１２１６において、ワイヤレスデバイスは、ネットワークノードから、第２の複数の連続するサブフレームについての第２のアップリンク／ダウンリンクスケジューリングパターンを受信し、ここで上記第１の複数の連続するサブフレーム及び上記第２の複数の連続するサブフレームは、少なくとも１つのサブフレームを共有する。例えば、ワイヤレスデバイス１１０は、ネットワークノード１２０ａから、サブフレームｎ＋２、ｎ＋３、ｎ＋４、ｎ＋５及びｎ＋６がダウンリンクサブフレームであることを示す第２のアップリンク／ダウンリンクスケジューリングパターンを受信してもよい。この例では、第２の複数の連続するサブフレーム（即ち、サブフレームｎ＋２、ｎ＋３、ｎ＋４、ｎ＋５及びｎ＋６）は、第１の複数の連続するサブフレームと少なくとも１つのサブフレームを共有する（即ち、サブフレームｎ＋２）。
【０１０６】
方法１２００に対する修正、追加又は省略がなされてもよい。追加的に、図１２の方法１２００内の１つ以上のステップが、並列的に又は任意の適した順序で実行されてもよい。方法１２００の全て又は一部が必要であれば時間的に反復されてもよい。
【０１０７】
図１３Ａは、ワイヤレスデバイスの一例としての実施形態を示すブロック図である。当該ワイヤレスデバイスは、図１０に示したワイヤレスデバイス１１０の一例である。上記ワイヤレスデバイスは、第１の複数の連続するサブフレームについての第１のアップリンク／ダウンリンクスケジューリングパターンを受信する、ように動作可能である。上記ワイヤレスデバイスは、第１のアップリンク／ダウンリンクスケジューリングパターンに従って、少なくとも１つのサブフレームを受信する、ようにさらに動作可能である。上記ワイヤレスデバイスは、第１の複数の連続するサブフレームと少なくとも１つのサブフレームを共有する第２の複数の連続するサブフレームについての第２のアップリンク／ダウンリンクスケジューリングパターンを受信する、ようにも動作可能である。
【０１０８】
ワイヤレスデバイスの具体的な例は、モバイルフォン、スマートフォン、ＰＤＡ（Personal  Digital  Assistant）、ポータブルコンピュータ（例えば、ラップトップ、タブレット）、センサ、モデム、マシンタイプ（ＭＴＣ）デバイス／マシンツーマシン（Ｍ２Ｍ）デバイス、ＬＥＥ（laptop  embedded  equipment）、ＬＭＥ（laptop  mounted  equipment）、ＵＳＢドングル、デバイスツーデバイス対応デバイス、Ｖ２Ｖ（vehicle-to-vehicle）デバイス、又はワイヤレス通信を提供可能な任意の他のデバイスを含む。ワイヤレスデバイスは、送受信機１３１０、プロセッサ１３２０及びメモリ１３３０を含む。いくつかの実施形態において、送受信機１３１０は、（例えば、アンテナを介する）ワイヤレスネットワークノード１２０との間のワイヤレス信号の送信及びワイヤレス信号の受信を促進し、プロセッサ１３２０は、ワイヤレスデバイスにより提供されるものとしてここで説明した機能性のいくつか又は全てを提供するための命令を実行し、メモリ１３３０は、プロセッサ１３２０により実行される命令を記憶する。
【０１０９】
プロセッサ１３２０は、ワイヤレスデバイスの説明した機能のうちのいくつか又は全てを実行するために命令を実行し及びデータを操作するための、１つ以上の集積回路又はモジュールにおいて実装される、任意の適したハードウェア及びソフトウェアの組み合わせを含む。いくつかの実施形態において、プロセッサ１３２０は、例えば、１つ以上のＣＰＵ（central  processing  unitss）、１つ以上のマイクロプロセッサ、１つ以上のアプリケーション及び／若しくは他のロジック、並びに／又は、それらの任意の適した組み合わせを含んでもよい。プロセッサ１３２０は、ワイヤレスデバイス１１０の説明した機能のうちのいくつか又は全てを実行するように構成されるアナログ回路及び／又はデジタル回路を含んでよい。例えば、プロセッサ１３２０は、レジスタ、キャパシタ、インダクタ、トランジスタ、ダイオード及び／又は任意の他の適した回路素子を含んでもよい。
【０１１０】
メモリ１３３０は、概して、コンピュータ実行可能なコード及びデータを記憶する、ように動作可能である。メモリ１３３０の例は、コンピュータメモリ（例えば、ＲＡＭ（Random  Access  Memory）又はＲＯＭ（Read  Only  Memory））、大容量記憶媒体（例えば、ハードディスク）、着脱可能記憶媒体（例えば、ＣＤ（Compact  Disk）又はＤＶＤ（Digital  Video  Disk））、並びに／又は、情報を記憶する任意の他の揮発性若しくは不揮発性の非一時的なコンピュータ読取可能な及び／若しくはコンピュータ実行可能なメモリデバイスを含む。
【０１１１】
具体的な実施形態において、送受信機１３１０と通信関係にあるプロセッサ１３２０は、第１の複数の連続するサブフレームについての第１のアップリンク／ダウンリンクスケジューリングパターンを受信し、第１のアップリンク／ダウンリンクスケジューリングパターンに従って少なくとも１つのサブフレームを受信し、第２の複数の連続するサブフレームについての第２のアップリンク／ダウンリンクスケジューリングパターンを受信する。
【０１１２】
ワイヤレスデバイスの他の実施形態は、ワイヤレスデバイスの機能性のある側面を提供することに責任を有する（図１３Ａに示したもの以外の）追加的なコンポーネントを含んでもよく、それらは、上述した機能性のいずれか及び／又は（上述した解決策をサポートするために必要な何らかの機能性を含む）任意の追加的な機能性を含む。
【０１１３】
図１３Ｂは、ワイヤレスデバイス１１０の例示的なコンポーネント群を示すブロック図である。コンポーネント群は、パターン受信モジュール１３５０及びサブフレーム受信モジュール１３５２を含み得る。
【０１１４】
パターン受信モジュール１３５０は、ワイヤレスデバイス１１０のパターン受信機能を実行し得る。例えば、パターン受信モジュール１３５０は、第１及び第２の複数の連続するサブフレームについての第１の及び第２のアップリンク／ダウンリンクスケジューリングパターンを受信し得る。ある実施形態において、パターン受信モジュール１３５０は、プロセッサ１３２０を含んでもよく又はプロセッサ１３２０に含まれてもよい。パターン受信モジュール１３５０は、無線信号を受信するように構成される回路を含んでもよい。具体的な実施形態において、パターン受信モジュール１３５０は、サブフレーム受信モジュール１３５２と通信し得る。
【０１１５】
サブフレーム受信モジュール１３５２は、ワイヤレスデバイス１１０のサブフレーム受信機能を実行し得る。例えば、サブフレーム受信モジュール１３５２は、第１の又は第２のアップリンク／ダウンリンクスケジューリングパターンに従ってサブフレームを受信し得る。ある実施形態において、サブフレーム受信モジュール１３５２は、プロセッサ１３２０を含んでもよく又はプロセッサ１３２０に含まれてもよい。サブフレーム受信モジュール１３５２は、無線信号を受信するように構成される回路を含んでもよい。具体的な実施形態において、サブフレーム受信モジュール１３５２は、パターン受信モジュール１３５０と通信し得る。
【０１１６】
図１４Ａは、ネットワークノードの一例としての実施形態を示すブロック図である。当該ネットワークノードは、図１０に示したネットワークノード１２０の一例である。当該ネットワークノードは、第１の複数の連続するサブフレームについての第１のアップリンク／ダウンリンクスケジューリングパターンを決定し、及び第１のアップリンク／ダウンリンクスケジューリングパターンをワイヤレスデバイスへ送信する、ように動作可能である。上記ネットワークノードは、第１のアップリンク／ダウンリンクスケジューリングパターンに従って、上記ワイヤレスデバイスへ少なくとも１つのサブフレームを送信する、ようにさらに動作可能である。上記ネットワークノードは、上記第１の複数の連続するサブフレームと少なくとも１つのサブフレームを共有する第２の複数の連続するサブフレームについての第２のアップリンク／ダウンリンクスケジューリングパターンを決定し、及び第２のアップリンク／ダウンリンクスケジューリングパターンを上記ワイヤレスデバイスへ送信する、ようにも動作可能である。
【０１１７】
ネットワークノード１２０は、ｅＮｏｄｅＢ、ノードＢ、基地局、ワイヤレスアクセスポイント（例えば、Ｗｉ−Ｆｉアクセスポイント）、低電力ノード、基地送受信局（ＢＴＳ）、送信ポイント若しくはノード、ＲＲＵ（remote  RF  unit）、ＲＲＨ（remote  radio  head）、又は他の無線アクセスノードであり得る。ネットワークノード１２０は、少なくとも１つの送受信機１４１０、少なくとも１つのプロセッサ１４２０、少なくとも１つのメモリ１４３０、及び少なくとも１つのネットワークインタフェース１４４０を含む。送受信機１４１０は、（例えば、アンテナを介する）ワイヤレスデバイス１１０などのワイヤレスデバイスとの間のワイヤレス信号の送信及びワイヤレス信号の受信を促進し、プロセッサ１４２０は、ネットワークノード１２０により提供されるものとして上述した機能性のいくつか又は全てを提供するための命令を実行し、メモリ１４３０は、プロセッサ１４２０により実行される命令を記憶し、並びに、ネットワークインタフェース１４４０は、バックエンドのネットワークコンポーネントへ信号を通信する。バックエンドのネットワークコンポーネントは、ゲートウェイ、スイッチ、ルータ、インターネット、ＰＳＴＮ（Public  Switched  Telephone  Network）、コントローラ、及び／又は他のネットワークノード１２０などである。プロセッサ１４２０及びメモリ１４３０は、上で図１３Ａのプロセッサ１３２０及びメモリ１３３０に関連して説明したものと同じタイプであってよい。
【０１１８】
いくつかの実施形態において、ネットワークインタフェース１４４０は、プロセッサ１４２０へ通信可能に連結され、ネットワークノード１２０向けの入力を受信し、ネットワークノード１２０からの出力を送信し、入力、出力若しくは双方の適切な処理を実行し、他のデバイスと通信し、又はそれらの任意の組み合わせを行うことの可能ないかなる適したデバイスをもいう。ネットワークインタフェース１４４０は、ネットワークを通じて通信するための、プロトコル変換及びデータ処理ケイパビリティを含む、適切なハードウェア（例えば、ポート、モデム、ネットワークインタフェースカードなど）及びソフトウェアを含む。
【０１１９】
具体的な実施形態において、送受信機１４１０と通信関係にあるプロセッサ１４２０は、第１の複数の連続するサブフレームについての第１のアップリンク／ダウンリンクスケジューリングパターンを決定し、第１のアップリンク／ダウンリンクスケジューリングパターンをワイヤレスデバイスへ送信し、第１のアップリンク／ダウンリンクスケジューリングパターンに従って、上記ワイヤレスデバイスへ少なくとも１つのサブフレームを送信し、第２の複数の連続するサブフレームについての第２のアップリンク／ダウンリンクスケジューリングパターンを決定し、及び、第２のアップリンク／ダウンリンクスケジューリングパターンを上記ワイヤレスデバイスへ送信する。
【０１２０】
ネットワークノード１２０の他の実施形態は、ネットワークノードの機能性のある側面を提供することに責任を有する（図１４Ａに示したもの以外の）追加的なコンポーネントを含み、それらは、上述した機能性のいずれか及び／又は（上述した解決策をサポートするために必要な何らかの機能性を含む）任意の追加的な機能性を含む。多様な異なるタイプの無線ネットワークノードが、同じ物理的なハードウェアを有し但し（例えば、プログラミングを介して）異なる無線アクセス技術をサポートするように構成されるコンポーネントを含んでもよく、又は、部分的に若しくは全体的に異なる物理的なコンポーネントを表してもよい。
【０１２１】
図１４Ｂは、ネットワークノード１２０の例示的なコンポーネント群を示すブロック図である。コンポーネント群は、決定モジュール１４５０及び送信モジュール１４５２を含み得る。
【０１２２】
決定モジュール１４５０は、ネットワークノード１２０の決定機能を実行し得る。例えば、決定モジュール１４５０は、第１の及び第２の複数の連続するサブフレームについての第１の及び第２のアップリンク／ダウンリンクスケジューリングパターンを決定し得る。ある実施形態において、同期決定モジュール１１５０は、プロセッサ１４２０を含んでもよく又はプロセッサ１４２０に含まれてもよい。具体的な実施形態において、決定モジュール１４５０は、送信モジュール１４５２と通信し得る。
【０１２３】
送信モジュール１４５２は、ネットワークノード１２０の送信機能を実行し得る。例えば、送信モジュール１４５２は、アップリンク／ダウンリンクスケジューリングパターン及びダウンリンクサブフレームをワイヤレスデバイス１１０へ送信し得る。ある実施形態において、送信モジュール１４５２は、プロセッサ１４２０を含んでもよく又はプロセッサ１４２０に含まれてもよい。送信モジュール１４５２は、無線信号を送信するように構成される回路を含んでもよい。具体的な実施形態において、送信モジュール１４５２は、決定モジュール１４５０と通信し得る。
【０１２４】
本開示のいくつかの実施形態が１つ以上の技術的な利点を提供し得る。一例として、いくつかの実施形態は、スケジューリングの柔軟性を提供し、その柔軟性が、ネットワーク効率を改善し（例えば、効率的な帯域幅使用）並びに干渉及び／又はトラフィック需要への適応可能性を提供する。長い送信バーストの冒頭でスケジューリングパターンを固定することに関連付けられる問題が回避され得る。具体的な実施形態は、スケジューリング情報が受信される特定の時点のために全てのワイヤレスデバイスが不連続受信モードからウェイクアップし探索を行うことを要しないことで、電力及びバッテリ寿命を節約する。ある実施形態は、これら利点のうちのいくつか若しくは全ての恩恵を受け、又は恩恵を受けない。当業者によって他の技術的な利点が容易に解明されるであろう。
【０１２５】
本発明のスコープから逸脱することなく、ここで開示したシステム及び装置に対して修正、追加又は省略がなされてよい。システム及び装置のコンポーネントは、統合されても分離されてもよい。そのうえ、システム及び装置の動作がより多くの、より少ない又は他のコンポーネントにより実行されてもよい。追加的に、システム及び装置の動作は、ソフトウェア、ハードウェア及び／又は他のロジックを含む任意の適切なロジックを用いて実行されてよい。本文書で使用されているところによれば、“各”は、ある集合の各々のメンバ又はある集合のサブセットの各メンバをいう。
【０１２６】
本発明のスコープから逸脱することなく、ここで開示した方法に対して修正、追加又は省略がなされてよい。方法は、より多くの、より少ない又は他のステップを含んでもよい。追加的に、ステップは任意の適切な順序で実行されてよい。
【０１２７】
ある実施形態の観点で本開示は説明されているが、当業者にとってそれら実施形態の変形及び置換は明白であろう。従って、それら実施形態の上の説明は本開示を制約しない。以下の特許請求の範囲により定義されているように、本開示の思想及びスコープから逸脱することなく、他の変更、代入及び変形が可能である。
【０１２８】
これまでの説明において使用されている略語は次を含む：
３ＧＰＰ        Third  Generation  Partnership  Project
ＢＴＳ          Base  Transceiver  Station
ＣＣＡ          Clear  Channel  Assessment
ＣＦＰ          Contention-Free  Period
Ｄ２Ｄ          Device  to  Device
ＤＣＦ          Distributed  Coordination  Function
ＤＩＦＳ        DCF  Inter-frame  Spacing
ＤＬ            Downlink
ＤＲＳ          Discovery  Reference  Signal
ｅＮＢ          eNodeB
ＥＰＤＣＣＨ    Enhanced  Physical  Downlink  Control  Channel
ＦＤＤ          Frequency  Division  Duplex
ＬＡＡ          Licensed  Assisted  Access
ＬＢＴ          Listen  Before  Talk
ＬＴＥ          Long  Term  Evolution
Ｍ２Ｍ          Machine  to  Machine
ＭＩＭＯ        Multi-Input  Multi-Output
ＭＴＣ          Machine  Type  Communication
ＯＦＤＭ        Orthogonal  Frequency  Division  Multiplexing
ＰＣｅｌｌ      Primary  Cell
ＰＣＦ          Point  Coordination  Function
ＰＤＣＣＨ      Physical  Downlink  Control  Channel
ＰＤＳＣＨ      Physical  Downlink  Shared  Channel
ＰＩＦＳ        PCF  Inter-frame  Spacing
ＰＵＣＣＨ      Physical  Uplink  Control  Channel
ＰＵＳＣＨ      Physical  Uplink  Shared  Channel
ＲＡＮ          Radio  Access  Network
ＲＡＴ          Radio  Access  Technology
ＲＲＨ          Remote  Radio  Head
ＲＲＵ          Remote  Radio  Unit
ＳＣｅｌｌ      Secondary  Cell
ＳｅＮＢ        Secondary  eNodeB
ＳＩＦＳ        Short  Inter-frame  Spacing
ＴＤＤ          Time  division  duplex
ＵＥ            User  Equipment
ＷＡＮ          Wireless  Access  Network
【図１】
0006603331.tif 000002
【図２】
0006603331.tif 000003
【図３】
0006603331.tif 000004
【図４】
0006603331.tif 000005
【図５】
0006603331.tif 000006
【図６】
0006603331.tif 000007
【図７】
0006603331.tif 000008
【図８】
0006603331.tif 000009
【図９】
0006603331.tif 000010
【図１０】
0006603331.tif 000011
【図１１】
0006603331.tif 000012
【図１２】
0006603331.tif 000013
【図１３Ａ】
0006603331.tif 000014
【図１３Ｂ】
0006603331.tif 000015
【図１４Ａ】
0006603331.tif 000016
【図１４Ｂ】
0006603331.tif 000017